(57)【要約】  本願は、通信方法、端末機器およびネットワーク機器を開示し、様々なシナリオにおいて端末機器のアップリンク伝送に採用される波形を確定することに適用できる。該方法は、端末機器が、該端末機器の現在所在する位置領域を指示するための第１の指示情報をネットワーク機器に送信するステップと、該端末機器が、該ネットワーク機器から送信した、該ネットワーク機器が該端末機器の現在所在する位置領域に基づいて少なくとも２つの選択可能なアップリンク波形の中から決定した第１のターゲット波形を指示するための第２の指示情報を受信するステップと、該端末機器が、該第１のターゲット波形を用いてアップリンク伝送を行うステップとを含む。
2020502877.tif 000002
【特許請求の範囲】
【請求項１】
通信方法であって、
端末機器が、前記端末機器の現在所在する位置領域を指示するための第１の指示情報をネットワーク機器に送信するステップと、
前記端末機器が、前記ネットワーク機器から送信した、前記ネットワーク機器が前記端末機器の現在所在する位置領域に基づいて少なくとも２つの選択可能なアップリンク波形の中から決定した第１のターゲット波形を指示するための第２の指示情報を受信するステップと、
前記端末機器が、前記第１のターゲット波形を用いてアップリンク伝送を行うステップとを含む、ことを特徴とする通信方法。
【請求項２】
前記端末機器の現在所在する位置領域は、セル中心領域、セルエッジ領域、またはセル中心領域とセルエッジ領域の間に位置する領域を含む、ことを特徴とする請求項１に記載の方法。
【請求項３】
前記端末機器がネットワーク機器に第１の指示情報を送信するステップは、
前記端末機器が、前記第１の指示情報を持つランダムアクセス要請をネットワーク機器に送信するステップを含む、ことを特徴とする請求項１または２に記載の方法。
【請求項４】
前記ランダムアクセス要請はプリアンブルをさらに持ち、前記第１の指示情報が占めるビットは前記プリアンブルの直後にある、ことを特徴とする請求項３に記載の方法。
【請求項５】
前記端末機器がネットワーク機器に第１の指示情報を送信する前、前記方法はさらに、
前記端末機器が、位置領域とプリアンブルの間の対応関係に基づいて、少なくとも２つのプリアンブルの中から、前記端末機器の現在所在する位置領域に対応するプリアンブルを確定するステップを含み、
前記ランダムアクセス要請が前記第１の指示情報を持つことは、前記ランダムアクセス要請が前記端末機器の現在所在する位置領域に対応するプリアンブルを含む場合を含む、ことを特徴とする請求項３に記載の方法。
【請求項６】
前記端末機器がネットワーク機器に第１の指示情報を送信するステップは、
前記端末機器が、前記第１の指示情報を持つスケジューリング要請をネットワーク機器に送信するステップを含む、ことを特徴とする請求項１または２に記載の方法。
【請求項７】
前記端末機器がネットワーク機器に第１の指示情報を送信する前、前記方法はさらに、
前記端末機器が、前記ネットワーク機器から送信したダウンリンク基準信号を測定するステップと、
前記端末機器が、前記測定結果に基づいて、前記端末機器の現在所在する位置領域を確定するステップとを含む、ことを特徴とする請求項１から６のいずれか一項に記載の方法。
【請求項８】
前記端末機器が、前記測定結果に基づいて、前記端末機器の現在所在する位置領域を確定するステップは、
前記端末機器が、前記測定結果を少なくとも２つの閾値条件と比較することによって、前記端末機器の現在所在する位置領域を確定するステップを含む、ことを特徴とする請求項７に記載の方法。
【請求項９】
前記端末機器が、前記測定結果に基づいて、前記端末機器の現在所在する位置領域を確定する前、前記方法はさらに、
前記端末機器が、前記ネットワーク機器から送信した、前記少なくとも２つの閾値条件を指示するための第３の指示情報を受信するステップを含む、ことを特徴とする請求項８に記載の方法。
【請求項１０】
前記端末機器が、前記ネットワーク機器から送信した第３の指示情報を受信するステップは、
前記端末機器が、前記ネットワーク機器から送信した、前記第３の指示情報を持つブロードキャストメッセージを受信するステップを含む、ことを特徴とする請求項９に記載の方法。
【請求項１１】
前記第１の指示情報により前記端末機器の現在位置がセルエッジ領域とセル中心領域の間であると指示すると、前記第２の指示情報はさらに、前記端末機器が前記ネットワーク機器にアップリンク基準信号を送信するように指示し、
前記端末機器が前記第１のターゲット波形を用いてアップリンク伝送を行うステップは、
前記端末機器が、前記第２の指示情報に基づいて、前記第１のターゲット波形を用いて、前記ネットワーク機器にアップリンク基準信号を送信するステップを含む、ことを特徴とする請求項１から１０のいずれか一項に記載の方法。
【請求項１２】
前記方法はさらに、
前記端末機器が、前記ネットワーク機器から送信した、前記ネットワーク機器が前記アップリンク基準信号に基づいて前記少なくとも２つの選択可能なアップリンク波形の中から定めた第２のターゲット波形を指示するための第４の指示情報を受信するステップと、
前記端末機器が、前記第２のターゲット波形を用いてアップリンク伝送を行うステップとを含む、ことを特徴とする請求項１１に記載の方法。
【請求項１３】
前記第１の指示情報は少なくとも２つのビットを占める、ことを特徴とする請求項１から１２のいずれか一項に記載の方法。
【請求項１４】
前記少なくとも２つの選択可能なアップリンク波形は、直交周波数分割多重ＯＦＤＭと離散フーリエ変換拡張直交周波数分割多重ＤＦＴ−ｓ−ＯＦＤＭを含む、ことを特徴とする請求項１から１３のいずれか一項に記載の方法。
【請求項１５】
通信方法であって、
ネットワーク機器が、端末機器から送信した、前記端末機器の現在所在する位置領域を指示するための第１の指示情報を受信するステップと、
前記ネットワーク機器が、前記端末機器の現在所在する位置領域に基づいて、少なくとも２つの選択可能なアップリンク波形の中から第１のターゲット波形を確定するステップと、
前記ネットワーク機器が、前記端末機器が前記第１のターゲット波形を用いてアップリンク伝送を行うように指示するための第２の指示情報を前記端末機器に送信するステップとを含む、ことを特徴とする通信方法。
【請求項１６】
前記端末機器の現在所在する位置領域は、セル中心領域、セルエッジ領域、またはセル中心領域とセルエッジ領域の間に位置する領域を含む、ことを特徴とする請求項１５に記載の方法。
【請求項１７】
前記ネットワーク機器が、端末機器から送信した第１の指示情報を受信するステップは、
前記ネットワーク機器が、端末機器から送信した、前記第１の指示情報を持つランダムアクセス要請を受信するステップを含む、ことを特徴とする請求項１５または１６に記載の方法。
【請求項１８】
前記ランダムアクセス要請はプリアンブルをさらに持ち、前記第１の指示情報が占めるビットは前記プリアンブルの直後にある、ことを特徴とする請求項１７に記載の方法。
【請求項１９】
前記ランダムアクセス要請が前記第１の指示情報を持つことは、前記ランダムアクセス要請が前記端末機器の現在所在する位置領域に対応するプリアンブルを含む場合を含む、ことを特徴とする請求項１７に記載の方法。
【請求項２０】
前記ネットワーク機器が、端末機器から送信した第１の指示情報を受信するステップは、
前記ネットワーク機器が、端末機器から送信した、前記第１の指示情報を持つスケジューリング要請を受信するステップを含む、ことを特徴とする請求項１５または１６に記載の方法。
【請求項２１】
前記ネットワーク機器が、端末機器から送信した第１の指示情報を受信する前、前記方法はさらに、
前記ネットワーク機器が、前記端末機器が現在所在する位置領域を確定するためのダウンリンク基準信号を前記端末機器に送信するステップを含む、ことを特徴とする請求項１５から２０のいずれか一項に記載の方法。
【請求項２２】
前記ネットワーク機器が、端末機器から送信した第１の指示情報を受信する前、前記方法はさらに、
前記ネットワーク機器が、前記端末機器が前記ダウンリンク基準信号の測定結果に基づいて現在所在する位置領域を確定するための少なくとも２つの閾値条件を指示するための第３の指示情報を前記端末機器に送信するステップを含む、ことを特徴とする請求項２１に記載の方法。
【請求項２３】
前記ネットワーク機器が、前記端末機器に第３の指示情報を送信するステップは、
前記ネットワーク機器が、前記第３の指示情報を持つブロードキャストメッセージを前記端末機器に送信するステップを含む、ことを特徴とする請求項２２に記載の方法。
【請求項２４】
前記ネットワーク機器が、前記端末機器の現在所在する位置領域に基づいて、少なくとも２つの選択可能なアップリンク波形の中から第１のターゲット波形を確定するステップは、
前記第１の指示情報により前記端末機器の現在位置がセルエッジ領域とセル中心領域の間であると指示すると、前記少なくとも２つの選択可能なアップリンク波形のうちの離散フーリエ変換拡張直交周波数分割多重ＤＦＴ−ｓ−ＯＦＤＭを前記第１のターゲット波形として確定する、ことを特徴とする請求項１５から２３のいずれか一項に記載の方法。
【請求項２５】
前記第１の指示情報により前記端末機器の現在位置がセルエッジ領域とセル中心領域の間であると指示すると、前記第２の指示情報はさらに、前記端末機器が前記ネットワーク機器にアップリンク基準信号を送信するように指示し、
前記方法はさらに、
前記ネットワーク機器が、前記端末機器が前記第１のターゲット波形を用いて送信したアップリンク基準信号を受信するステップと、
前記ネットワーク機器が、前記端末機器から送信したアップリンク基準信号に基づいて、前記少なくとも２つの選択可能なアップリンク波形の中から第２のターゲット波形を確定するステップとを含む、ことを特徴とする請求項１５から２４のいずれか一項に記載の方法。
【請求項２６】
前記方法はさらに、
前記ネットワーク機器が、前記端末機器が前記第２のターゲット波形を用いてアップリンク伝送を行うように指示するための第４の指示情報を前記端末機器に送信するステップを含む、ことを特徴とする請求項２５に記載の方法。
【請求項２７】
前記第１の指示情報は少なくとも２つのビットを占める、ことを特徴とする請求項１５から２６のいずれか一項に記載の方法。
【請求項２８】
前記少なくとも２つの選択可能なアップリンク波形は、直交周波数分割多重ＯＦＤＭとＤＦＴ−ｓ−ＯＦＤＭを含む、ことを特徴とする請求項１５から２７のいずれか一項に記載の方法。
【請求項２９】
端末機器であって、
前記端末機器の現在所在する位置領域を指示するための第１の指示情報をネットワーク機器に送信する送信ユニットと、
前記ネットワーク機器から送信した、前記ネットワーク機器が前記送信ユニットから送信した第１の指示情報に基づいて少なくとも２つの選択可能なアップリンク波形の中から決定した第１のターゲット波形を指示するための第２の指示情報を受信する受信ユニットとを備え、
該送信ユニットはさらに、前記受信ユニットが受信した前記第２の指示情報により指示される前記第１のターゲット波形を用いてアップリンク伝送を行う、ことを特徴とする端末機器。
【請求項３０】
前記端末機器の現在所在する位置領域は、セル中心領域、セルエッジ領域、またはセル中心領域とセルエッジ領域の間に位置する領域を含む、ことを特徴とする請求項２９に記載の端末機器。
【請求項３１】
前記送信ユニットは、具体的には、ネットワーク機器に前記第１の指示情報を持つランダムアクセス要請を送信する、ことを特徴とする請求項２９または３０に記載の端末機器。
【請求項３２】
前記ランダムアクセス要請はプリアンブルをさらに持ち、前記第１の指示情報が占めるビットは前記プリアンブルの直後にある、ことを特徴とする請求項３１に記載の端末機器。
【請求項３３】
前記送信ユニットがネットワーク機器に第１の指示情報を送信する前、位置領域とプリアンブルの間の対応関係に基づいて、少なくとも２つのプリアンブルの中から、前記端末機器の現在所在する位置領域に対応するプリアンブルを確定する第１の確定ユニットをさらに備え、
前記ランダムアクセス要請が前記第１の指示情報を持つことは、前記ランダムアクセス要請が前記確定ユニットにより確定されたプリアンブルを含む場合を含む、ことを特徴とする請求項３１に記載の端末機器。
【請求項３４】
前記送信ユニットは、具体的には、前記第１の指示情報を持つスケジューリング要請をネットワーク機器に送信する、ことを特徴とする請求項２９または３０に記載の端末機器。
【請求項３５】
前記送信ユニットがネットワーク機器に第１の指示情報を送信する前、前記ネットワーク機器から送信したダウンリンク基準信号を測定する測定ユニットと、
前記測定ユニットにより得られた測定結果に基づいて、前記端末機器の現在所在する位置領域を確定する第２の確定ユニットとをさらに備える、ことを特徴とする請求項２９から３４のいずれか一項に記載の端末機器。
【請求項３６】
前記第２の確定ユニットは、具体的には、前記測定ユニットにより得られた測定結果を少なくとも２つの閾値条件と比較することにより、前記端末機器の現在所在する位置領域を確定する、ことを特徴とする請求項３５に記載の端末機器。
【請求項３７】
前記受信ユニットはさらに、前記第２の確定ユニットが前記測定ユニットにより得られた測定結果に基づいて、前記端末機器の現在所在する位置領域を確定する前、前記ネットワーク機器から送信した、前記少なくとも２つの閾値条件を指示するための第３の指示情報を受信する、ことを特徴とする請求項３６に記載の端末機器。
【請求項３８】
前記受信ユニットは、具体的には、前記ネットワーク機器から送信した、前記第３の指示情報を持つブロードキャストメッセージを受信する、ことを特徴とする請求項３７に記載の端末機器。
【請求項３９】
前記第１の指示情報により前記端末機器の現在位置がセルエッジ領域とセル中心領域の間であると指示すると、前記第２の指示情報はさらに、前記端末機器が前記ネットワーク機器にアップリンク基準信号を送信するように指示し、
前記送信ユニットは、具体的には、前記第２の指示情報に基づいて、前記第１のターゲット波形を用いて、前記ネットワーク機器にアップリンク基準信号を送信する、ことを特徴とする請求項２９から３８のいずれか一項に記載の端末機器。
【請求項４０】
前記受信ユニットはさらに、前記ネットワーク機器から送信した、前記ネットワーク機器が前記アップリンク基準信号に基づいて前記少なくとも２つの選択可能なアップリンク波形の中から定めた第２のターゲット波形を指示するための第４の指示情報を受信し、
前記送信ユニットはさらに、前記受信ユニットが受信した第４の指示情報により指示される前記第２のターゲット波形を用いて、アップリンク伝送を行う、ことを特徴とする請求項３９に記載の端末機器。
【請求項４１】
前記第１の指示情報は少なくとも２つのビットを占める、ことを特徴とする請求項２９から４０のいずれか一項に記載の端末機器。
【請求項４２】
前記少なくとも２つの選択可能なアップリンク波形は、直交周波数分割多重ＯＦＤＭと離散フーリエ変換拡張直交周波数分割多重ＤＦＴ−ｓ−ＯＦＤＭを含む、ことを特徴とする請求項２９から４１のいずれか一項に記載の端末機器。
【請求項４３】
ネットワーク機器であって、
端末機器から送信した、前記端末機器の現在所在する位置領域を指示するための第１の指示情報を受信する受信ユニットと、
前記受信ユニットが受信した前記第１の指示情報により指示される位置領域に基づいて、少なくとも２つの選択可能なアップリンク波形の中から第１のターゲット波形を確定する処理ユニットと、
前記端末機器が前記処理ユニットにより確定された第１のターゲット波形を用いてアップリンク伝送を行うように指示するための第２の指示情報を前記端末機器に送信する送信ユニットとを備える、ことを特徴とするネットワーク機器。
【請求項４４】
前記端末機器の現在所在する位置領域は、セル中心領域、セルエッジ領域、またはセル中心領域とセルエッジ領域の間に位置する領域を含む、ことを特徴とする請求項４３に記載のネットワーク機器。
【請求項４５】
前記受信ユニットは、具体的には、端末機器から送信した、前記第１の指示情報を持つランダムアクセス要請を受信する、ことを特徴とする請求項４３または４４に記載のネットワーク機器。
【請求項４６】
前記ランダムアクセス要請はプリアンブルをさらに持ち、前記第１の指示情報が占めるビットは前記プリアンブルの直後にある、ことを特徴とする請求項４５に記載のネットワーク機器。
【請求項４７】
前記ランダムアクセス要請が前記第１の指示情報を持つことは、前記ランダムアクセス要請が前記端末機器の現在所在する位置領域に対応するプリアンブルを含む場合を含む、ことを特徴とする請求項４５に記載のネットワーク機器。
【請求項４８】
前記受信ユニットは、具体的には、端末機器から送信した、前記第１の指示情報を持つスケジューリング要請を受信する、ことを特徴とする請求項４３または４４に記載のネットワーク機器。
【請求項４９】
前記送信ユニットはさらに、前記受信ユニットが端末機器から送信した第１の指示情報を受信する前、前記端末機器が現在所在する位置領域を確定するためのダウンリンク基準信号を前記端末機器に送信する、ことを特徴とする請求項４３から４８のいずれか一項に記載のネットワーク機器。
【請求項５０】
前記送信ユニットはさらに、前記受信ユニットが端末機器から送信した第１の指示情報を受信する前、前記端末機器が前記ダウンリンク基準信号の測定結果に基づいて現在所在する位置領域を確定するための少なくとも２つの閾値条件を指示するための第３の指示情報を前記端末機器に送信する、ことを特徴とする請求項４９に記載のネットワーク機器。
【請求項５１】
前記送信ユニットは、具体的には、前記第３の指示情報を持つブロードキャストメッセージを前記端末機器に送信する、ことを特徴とする請求項５０に記載のネットワーク機器。
【請求項５２】
前記処理ユニットは、具体的には、前記第１の指示情報により前記端末機器の現在位置がセルエッジ領域とセル中心領域の間であると指示すると、前記少なくとも２つの選択可能なアップリンク波形のうちの離散フーリエ変換拡張直交周波数分割多重ＤＦＴ−ｓ−ＯＦＤＭを前記第１のターゲット波形として確定する、ことを特徴とする請求項４３から５１のいずれか一項に記載のネットワーク機器。
【請求項５３】
前記第１の指示情報により前記端末機器の現在位置がセルエッジ領域とセル中心領域の間であると指示すると、前記第２の指示情報はさらに、前記端末機器が前記ネットワーク機器にアップリンク基準信号を送信するように指示し、
前記受信ユニットはさらに、前記端末機器が前記第１のターゲット波形を用いて送信したアップリンク基準信号を受信し、
前記処理ユニットはさらに、前記受信ユニットが受信したアップリンク基準信号に基づいて、前記少なくとも２つの選択可能なアップリンク波形の中から第２のターゲット波形を確定する、ことを特徴とする請求項４３から５２のいずれか一項に記載のネットワーク機器。
【請求項５４】
前記送信ユニットはさらに、前記端末機器が前記第２のターゲット波形を用いてアップリンク伝送を行うように指示するための第４の指示情報を前記端末機器に送信する、ことを特徴とする請求項５３に記載のネットワーク機器。
【請求項５５】
前記第１の指示情報は少なくとも２つのビットを占める、ことを特徴とする請求項４３から５４のいずれか一項に記載のネットワーク機器。
【請求項５６】
前記少なくとも２つの選択可能なアップリンク波形は、直交周波数分割多重ＯＦＤＭとＤＦＴ−ｓ−ＯＦＤＭを含む、ことを特徴とする請求項４３から５５のいずれか一項に記載のネットワーク機器。
【発明の詳細な説明】
【技術分野】
【０００１】
本発明の実施例は、通信分野、より詳しくは、通信方法、端末機器およびネットワーク機器に関する。
【背景技術】
【０００２】
従来の無線通信システム、たとえば、ロングタームエボリューション（Ｌｏｎｇ  Ｔｅｒｍ  Ｅｖｏｌｕｔｉｏｎ、ＬＴＥ）システムにおいて、端末機器は、終始同一種類の波形（ｗａｖｅｆｏｒｍ）を採用し、アップリンク伝送を行う。技術の発展に伴い、将来の無線通信システムにおいては、アップリンク伝送は、少なくとも２種類の波形をサポートすることができるので、基地局は、アップリンクスケジューリングを行う際にどのような波形を採用するかを決定する必要がある。
【０００３】
しかしながら、アップリンク伝送にどのような波形を採用するかを決定するとき、基地局は、一般的に、端末機器によるアップリンク基準信号を測定する必要がある。このように、端末機器が無線リソース制御（Ｒａｄｉｏ  Ｒｅｓｏｕｒｃｅ  Ｃｏｎｔｒｏｌ、ＲＲＣ）接続モード（ＲＲＣ  ｃｏｎｎｅｃｔｅｄ  ｍｏｄｅ）であれば、基地局にアップリンク基準信号を長時間持続して送信することにより、端末機器の電力消耗量が大きくなる。端末機器が基地局にアップリンク基準信号を送信しない場合、基地局は、端末機器のアップリンク基準信号の変化をリアルタイムで追跡することができず、それによって、アップリンク伝送の誤ったスケジューリングを引き起こす可能性がある。
【発明の概要】
【発明が解決しようとする課題】
【０００４】
本発明の実施例は、様々なシナリオにおいて端末機器のアップリンク伝送に採用される波形を確定することに適用しうる通信方法、端末機器およびネットワーク機器を提供することにある。
【課題を解決するための手段】
【０００５】
第１の態様で提供される通信方法は、端末機器が、該端末機器の現在所在する位置領域を指示するための第１の指示情報をネットワーク機器に送信するステップと、該端末機器が、該ネットワーク機器から送信した、該ネットワーク機器が該端末機器の現在所在する位置領域に基づいて少なくとも２つの選択可能なアップリンク波形の中から確定した第１のターゲット波形を指示するための第２の指示情報を受信するステップと、該端末機器が、該第１のターゲット波形を用いてアップリンク伝送を行うステップとを含む。
【０００６】
具体的には、該端末機器の現在所在する位置領域は、具体的には、端末機器が現在該ネットワーク機器で管理されるセルにおいて所在する位置領域を意味してもよく、該位置領域は端末機器の送信パワーに応じて分割されてもよい。
【０００７】
場合によっては、該端末機器の現在所在する位置領域は、セル中心領域、セルエッジ領域、またはセル中心領域とセルエッジ領域の間に位置する領域を含む。
【０００８】
場合によっては、該端末機器は、現在所在する位置領域を確定した後、常にネットワーク機器に該第１の指示情報を送信してもよい。
【０００９】
場合によっては、該端末機器は、現在所在する位置領域が報告条件を満たすと定めたときにのみ、ネットワーク機器に該第１の指示情報を送信してもよい。
【００１０】
該報告条件は、プロトコルにより定義されてもよく、または該端末機器が該ネットワーク機器に該第１の指示情報を送信する前、該端末機器が受信したネットワーク機器から送信した指示情報により指示されてもよい。
【００１１】
第１の態様の第１の可能な実施形態において、該端末機器がネットワーク機器に第１の指示情報を送信するステップは、該端末機器が、該第１の指示情報を持つランダムアクセス要請をネットワーク機器に送信することを含む。
【００１２】
このとき、場合によっては、該端末機器がネットワーク機器から送信した第２の指示情報を受信するステップは、該端末機器が、ネットワーク機器から送信した、該第２の指示情報を持つランダムアクセスレスポンスを受信することを含んでもよい。
【００１３】
第１の態様の上記可能な実施形態を結合し、第１の態様の第２の可能な実施形態において、該ランダムアクセスはプリアンブルをさらに持ち、該第１の指示情報が占めるビットは該プリアンブルの直後にある。
【００１４】
このとき、該ランダムアクセス要請は、プリアンブルおよび第１の指示情報を持つ。
【００１５】
第１の態様の上記可能な実施形態を結合し、第１の態様の第３の可能な実施形態において、該端末機器がネットワーク機器に第１の指示情報を送信する前、該方法はさらに、該端末機器が、位置領域とプリアンブルの間の対応関係に基づいて、少なくとも２つのプリアンブルの中から該端末機器の現在所在する位置領域に対応するプリアンブルを確定するステップを含み、該ランダムアクセス要請が該第１の指示情報を持つことは、該ランダムアクセス要請が該端末機器の現在所在する位置領域に対応するプリアンブルを持つ場合を含む。
【００１６】
場合によっては、プリアンブルまたはプリアンブルセットと位置領域の間の対応関係は、プロトコルにより定義されてもよく、または、該端末機器が対応するプリアンブルを確定する前、該端末機器が受信したネットワーク機器から送信した指示情報により指示されてもよく、該指示情報はプリアンブルまたはプリアンブルセットと位置領域の間の対応関係を指示する。
【００１７】
このとき、ネットワーク機器は、ランダムアクセス要請に含まれるプリアンブルに基づいて、該端末機器の現在所在する位置領域を確定できる。
【００１８】
このように、ランダムアクセス要請に含まれるプリアンブルにより端末機器の現在所在する位置領域を指示することによって、シグナリングオーバーヘッドを節約できる。
【００１９】
第１の態様の上記可能な実施形態を結合し、第１の態様の第４の可能な実施形態において、該端末機器がネットワーク機器に第１の指示情報を送信するステップは、該端末機器が、該第１の指示情報を持つスケジューリング要請をネットワーク機器に送信するステップを含む。
【００２０】
このとき、場合によっては、該端末機器が、ネットワーク機器から送信した第２の指示情報を受信するステップは、該端末機器が、ネットワーク機器から送信した、該第２の指示情報を持つアップリンクグラントを受信するステップを含む。
【００２１】
第１の態様の上記可能な実施形態を結合し、第１の態様の第５の可能な実施形態において、該端末機器がネットワーク機器に第１の指示情報を送信する前、該方法はさらに、該端末機器が、該ネットワーク機器から送信したダウンリンク基準信号を測定するステップと、該端末機器が、該測定結果に基づいて、該端末機器の現在所在する位置領域を確定するステップとを含む。
【００２２】
第１の態様の上記可能な実施形態を結合し、第１の態様の第６の可能な実施形態において、該端末機器が、該測定結果に基づいて、該端末機器の現在所在する位置領域を確定するステップは、該端末機器が、該測定結果を少なくとも２つの閾値条件と比較することにより、該端末機器の現在所在する位置領域を確定するステップを含む。
【００２３】
場合によっては、該測定結果が少なくとも２つの閾値条件のうちの第１の閾値条件を満たし、たとえば、該測定したパスロスが第１の閾値より低い場合、該端末機器は、該端末機器の現在位置がセル中心領域であることを確定できる。
【００２４】
場合によっては、該測定結果が少なくとも２つの閾値条件のうちの第２の閾値条件を満たし、たとえば、該測定したパスロスが第２の閾値より高い場合、該端末機器は、該端末機器の現在位置がセルエッジ領域であることを確定できる。
【００２５】
場合によっては、該測定結果が該第１の閾値条件および第２の閾値条件の両方を満たさず、たとえば、該測定したパスロスが第１の閾値と第２の閾値の間である場合、該端末機器は、該端末機器の現在位置がセル中心領域とセルエッジ領域の間であることを確定できる。
【００２６】
第１の態様の上記可能な実施形態を結合し、第１の態様の第７の可能な実施形態において、該端末機器が、該測定結果に基づいて、該端末機器の現在所在する位置領域を確定する前、該方法は、該端末機器が、該ネットワーク機器から送信した、該少なくとも２つの閾値条件を指示するための第３の指示情報を受信するステップをさらに含む。
【００２７】
第１の態様の上記可能な実施形態を結合し、第１の態様の第８の可能な実施形態において、該端末機器が、該ネットワーク機器から送信した第３の指示情報を受信するステップは、該端末機器が、該ネットワーク機器から送信した、該第３の指示情報を持つブロードキャストメッセージを受信するステップを含む。
【００２８】
第１の態様の上記可能な実施形態を結合し、第１の態様の第９の可能な実施形態において、該第１の指示情報により該端末機器の現在位置がセルエッジ領域とセル中心領域の間であると指示すると、該第２の指示情報は、該端末機器が該ネットワーク機器にアップリンク基準信号を送信するように指示し、該端末機器が、該第１のターゲット波形を用いてアップリンク伝送を行うステップは、該端末機器が、該第２の指示情報に基づいて、該第１のターゲット波形を用いて、該ネットワーク機器にアップリンク基準信号を送信するステップをさらに含む。
【００２９】
場合によっては、該第１の指示情報により該端末機器の現在位置がセルエッジ領域とセル中心領域の間であると指示すると、該第１のターゲット波形は、具体的には、該少なくとも２つの選択可能なアップリンク波形のうちのＤＦＴ−ｓ−ＯＦＤＭであってもよい。
【００３０】
第１の態様の上記可能な実施形態を結合し、第１の態様の第１０の可能な実施形態において、該方法は、該端末機器が、該ネットワーク機器から送信した、該ネットワーク機器が該アップリンク基準信号に基づいて該少なくとも２つの選択可能なアップリンク波形の中から確定した第２のターゲット波形を指示するための第４の指示情報を受信するステップと、該端末機器が、該第２のターゲット波形を用いてアップリンク伝送を行うステップとをさらに含む。
【００３１】
第２の態様で提供される他の通信方法は、ネットワーク機器が、端末機器から送信した、該端末機器の現在所在する位置領域を指示するための第１の指示情報を受信するステップと、該ネットワーク機器が、該端末機器の現在所在する位置領域に基づいて、少なくとも２つの選択可能なアップリンク波形の中から第１のターゲット波形を確定するステップと、該ネットワーク機器が、該端末機器が該第１のターゲット波形を用いてアップリンク伝送を行うように指示するための第２の指示情報を該端末機器に送信するステップとを含む。
【００３２】
第２の態様の第１の可能な実施形態において、該端末機器の現在所在する位置領域は、セル中心領域、セルエッジ領域、またはセル中心領域とセルエッジ領域の間に位置する領域を含む。
【００３３】
第２の態様の上記可能な実施形態を結合し、第２の態様の第２の可能な実施形態において、該ネットワーク機器が、端末機器から送信した第１の指示情報を受信するステップは、該ネットワーク機器が、端末機器から送信した、該第１の指示情報を持つランダムアクセス要請を受信するステップを含む。
【００３４】
このとき、場合によっては、該ネットワーク機器が該端末機器に第２の指示情報を送信するステップは、該ネットワーク機器が、該第２の指示情報を持つランダムアクセスレスポンスを該端末機器に送信するステップを含むとしてもよい。
【００３５】
第２の態様の上記可能な実施形態を結合し、第２の態様の第３の可能な実施形態において、該ランダムアクセス要請はプリアンブルをさらに持ち、該第１の指示情報が占めるビットは該プリアンブルの直後にある。
【００３６】
第２の態様の上記可能な実施形態を結合し、第２の態様の第４の可能な実施形態において、該ランダムアクセス要請が該第１の指示情報を持つことは、該ランダムアクセス要請が該端末機器の現在所在する位置領域に対応するプリアンブルを持つ場合を含む。
【００３７】
このとき、該ネットワーク機器は、該ランダムアクセス要請に含まれるプリアンブルに基づいて、該端末機器の現在所在する位置領域を確定できる。
【００３８】
第２の態様の上記可能な実施形態を結合し、第２の態様の第５の可能な実施形態において、該ネットワーク機器が端末機器から送信した第１の指示情報を受信するステップは、該ネットワーク機器が、端末機器から送信した、該第１の指示情報を持つスケジューリング要請を受信するステップを含む。
【００３９】
このとき、場合によっては、該ネットワーク機器が該端末機器に第２の指示情報を送信するステップは、該ネットワーク機器が、該第２の指示情報を持つアップリンクグラントを該端末機器に送信するステップを含むとしてもよい。
【００４０】
第２の態様の上記可能な実施形態を結合し、第２の態様の第６の可能な実施形態において、該ネットワーク機器が端末機器から送信した第１の指示情報を受信する前、該方法は、該ネットワーク機器が、該端末機器が現在所在する位置領域を確定するためのダウンリンク基準信号を該端末機器に送信するステップをさらに含む。
【００４１】
第２の態様の上記可能な実施形態を結合し、第２の態様の第７の可能な実施形態において、該ネットワーク機器が端末機器から送信した第１の指示情報を受信する前、該方法は、該ネットワーク機器が、該端末機器が該ダウンリンク基準信号の測定結果に基づいて現在所在する位置領域を確定するための少なくとも２つの閾値条件を指示するための第３の指示情報を該端末機器に送信するステップをさらに含む。
【００４２】
第２の態様の上記可能な実施形態を結合し、第２の態様の第８の可能な実施形態において、該ネットワーク機器が該端末機器に第３の指示情報を送信するステップは、該ネットワーク機器が、該第３の指示情報を持つブロードキャストメッセージを該端末機器に送信するステップを含む。
【００４３】
第２の態様の上記可能な実施形態を結合し、第２の態様の第９の可能な実施形態において、該ネットワーク機器が、該端末機器の現在所在する位置領域に基づいて、少なくとも２つの選択可能なアップリンク波形の中から第１のターゲット波形を確定するステップは、該第１の指示情報により該端末機器の現在位置がセルエッジ領域とセル中心領域の間であると指示すると、該少なくとも２つの選択可能なアップリンク波形のうちのＤＦＴ−ｓ−ＯＦＤＭを該第１のターゲット波形として確定するステップを含む。
【００４４】
第２の態様の上記可能な実施形態を結合し、第２の態様の第１０の可能な実施形態において、該第１の指示情報により該端末機器の現在位置がセルエッジ領域とセル中心領域の間であると指示すると、該第２の指示情報はさらに、該端末機器が該ネットワーク機器にアップリンク基準信号を送信するように指示し、該方法は、該ネットワーク機器が、該端末機器が該第１のターゲット波形を用いて送信したアップリンク基準信号を受信するステップと、該ネットワーク機器が、該端末機器から送信したアップリンク基準信号に基づいて、該少なくとも２つの選択可能なアップリンク波形の中から第２のターゲット波形を確定するステップとをさらに含む。
【００４５】
場合によっては、該ネットワーク機器は、該端末機器から送信したアップリンク基準信号を測定して、測定結果に基づいて、該第２のターゲット波形を確定してもよい。
【００４６】
場合によっては、該測定結果はパスロスを含んでもよい。このとき、場合によっては、該パスロスが所定閾値より低い場合、該ネットワーク機器はＯＦＤＭを該第２のターゲット波形として確定し、そうではない場合、該ネットワーク機器はＤＦＴ−ｓ−ＯＦＤＭを該第２のターゲット波形として確定してもよい。
【００４７】
第２の態様の上記可能な実施形態を結合し、第２の態様の第１１の可能な実施形態において、該方法は、該ネットワーク機器が、該端末機器が該第２のターゲット波形を用いてアップリンク伝送を行うように指示するための第４の指示情報を該端末機器に送信するステップをさらに含む。
【００４８】
場合によっては、該ネットワーク機器は、該第２のターゲット波形を確定した後、常に該端末機器に該第４の指示情報を送信できる。
【００４９】
場合によっては、該ネットワーク機器は、該第２のターゲット波形が予め設定された条件を満たし、たとえば、該第２のターゲット波形が該第１のターゲット波形と異なる場合にのみ、該端末機器に該第４の指示情報を送信してもよい。
【００５０】
本発明の実施例のある態様では、該第１の指示情報は少なくとも２つのビットを占める。
【００５１】
本発明の実施例のある態様では、該少なくとも２つの選択可能なアップリンク波形は、ＯＦＤＭとＤＦＴ−ｓ−ＯＦＤＭを含む。
【００５２】
第３の態様で提供される端末機器は、上記第１の態様または第１の態様のいずれかの可能な実施形態における方法を実行する。
【００５３】
具体的には、該端末機器は、上記第１の態様または第１の態様のいずれかの可能な実施形態における方法を実行するためのユニットを備える。
【００５４】
第４の態様で提供されるネットワーク機器は、上記第２の態様または第２の態様のいずれかの可能な実施形態における方法を実行する。
【００５５】
具体的には、該ネットワーク機器は、上記第２の態様または第２の態様のいずれかの可能な実施形態における方法を実行するためのユニットを備える。
【００５６】
第５の態様で提供される他の端末機器は、コマンドを記憶する記憶ユニットと、プロセッサとを備え、該プロセッサは、該メモリに記憶されたコマンドを実行し、且つ該メモリに記憶されたコマンドを実行すると、該実行により第１の態様または第１の態様のいずれかの可能な実施形態における方法を実行する。
【００５７】
第６の態様で提供される他のネットワーク機器は、コマンドを記憶する記憶ユニットと、プロセッサとを備え、該プロセッサは、該メモリに記憶されたコマンドを実行し、且つ該メモリに記憶されたコマンドを実行すると、該実行により第２の態様または第２の態様のいずれかの実施形態における方法を実行する。
【００５８】
第７の態様で提供されるコンピュータ可読媒体は、第１の態様または第１の態様のいずれかの実施形態における方法を実行するためのコマンドを含むコンピュータプログラムを記憶する。
【００５９】
第８の態様では提供されるコンピュータ可読媒体は、第２の態様または第２の態様のいずれかの実施形態における方法を実行するためのコマンドを含むコンピュータプログラムを記憶する。
【発明の効果】
【００６０】
上記技術案によれば、本発明の実施例による通信方法、端末機器およびネットワーク機器では、端末機器がネットワーク機器に自分の現在所在する位置領域を報告し、ネットワーク機器が該端末機器の現在所在する位置領域に基づいて、少なくとも２つの選択可能なアップリンク波形の中から該端末機器の第１のターゲット波形を確定することによって、様々なシナリオにおいてアップリンク伝送に採用される波形を確定することに適用でき、特に端末機器がＲＲＣ接続モードではない場合にも、端末機器のアップリンク伝送に採用される波形を確定することができ、たとえば、端末機器は最初にネットワーク機器にアクセスするか、または端末機器がアップリンクスケジューリングを要請し、それによってシステム性能を向上させる。
【図面の簡単な説明】
【００６１】
【図１】本発明の実施例に用いる無線通信システムの概要図である。
【図２】本発明の実施例による通信方法の模式的フローチャートである。
【図３】本発明の実施例による端末機器の模式的ブロック図である。
【図４】本発明の実施例によるネットワーク機器の模式的ブロック図である。
【図５】本発明の実施例による他の端末機器の模式的ブロック図である。
【図６】本発明の実施例による他のネットワーク機器の模式的ブロック図である。
【発明を実施するための形態】
【００６２】
以下、本発明の実施例における技術案について、本発明の実施例における図面を結合して説明する。
【００６３】
本発明の実施例の技術案は、たとえば、グローバル移動通信（Ｇｌｏｂａｌ  Ｓｙｓｔｅｍ  ｏｆ  Ｍｏｂｉｌｅ  ｃｏｍｍｕｎｉｃａｔｉｏｎ、略語「ＧＳＭ」）システム、符号分割多元接続（Ｃｏｄｅ  Ｄｉｖｉｓｉｏｎ  Ｍｕｌｔｉｐｌｅ  Ａｃｃｅｓｓ、略語「ＣＤＭＡ」）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、略語「ＷＣＤＭＡ」）システム、汎用パケット無線サービス（Ｇｅｎｅｒａｌ  Ｐａｃｋｅｔ  Ｒａｄｉｏ  Ｓｅｒｖｉｃｅ、略語「ＧＰＲＳ」）、ロングタームエボリューション（Ｌｏｎｇ  Ｔｅｒｍ  Ｅｖｏｌｕｔｉｏｎ、略語「ＬＴＥ」）システム、ＬＴＥ周波数分割複信（Ｆｒｅｑｕｅｎｃｙ  Ｄｉｖｉｓｉｏｎ  Ｄｕｐｌｅｘ、略語「ＦＤＤ」）システム、ＬＴＥ時分割複信（Ｔｉｍｅ  Ｄｉｖｉｓｉｏｎ  Ｄｕｐｌｅｘ、略語「ＴＤＤ」）、ユニバーサル移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、略語「ＵＭＴＳ」）、世界規模相互運用マイクロ波アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、略語「ＷｉＭＡＸ」）通信システム、または将来の５Ｇシステムなどの様々な通信システムに適用することができる。
【００６４】
図１は、本発明の実施例に用いる無線通信システム１００を示す。該無線通信システム１００は、ネットワーク機器１１０を含むことができる。ネットワーク機器１００は、端末機器と通信する機器とすることができる。ネットワーク機器１００は、特定の地理的エリアに通信カバレッジを提供し、該カバレッジエリア内に位置する端末機器（たとえば、ＵＥ）と通信可能である。場合によっては、該ネットワーク機器１００は、ＧＳＭシステムまたはＣＤＭＡシステムの基地局（Ｂａｓｅ  Ｔｒａｎｓｃｅｉｖｅｒ  Ｓｔａｔｉｏｎ、ＢＴＳ）であってもよく、ＷＣＤＭＡシステムの基地局（ＮｏｄｅＢ、ＮＢ）であってもよく、ＬＴＥシステムの進化型基地局（Ｅｖｏｌｕｔｉｏｎａｌ  Ｎｏｄｅ  Ｂ、ｅＮＢまたはｅＮｏｄｅＢ）であってもよく、またはクラウド無線アクセスネットワーク（Ｃｌｏｕｄ  Ｒａｄｉｏ  Ａｃｃｅｓｓ  Ｎｅｔｗｏｒｋ、ＣＲＡＮ）内の無線コントローラであってもよく、または該ネットワーク機器は、中継局、アクセスポイント、車載デバイス、ウェアラブルデバイス、将来の５Ｇネットワーク内のネットワーク側機器、または将来の進化型地上公共移動ネットワーク（Ｐｕｂｌｉｃ  Ｌａｎｄ  Ｍｏｂｉｌｅ  Ｎｅｔｗｏｒｋ、ＰＬＭＮ）内のネットワーク機器などであってもよい。
【００６５】
該無線通信システム１００は、ネットワーク機器１１０のカバレッジ範囲内に位置する少なくとも１つの端末機器１２０をさらに含んでもよい。端末機器１２０は移動式であってもよく、または固定式であってもよい。場合によっては、端末機器１２０は、アクセス端末、ユーザ機器（Ｕｓｅｒ  Ｅｑｕｉｐｍｅｎｔ、ＵＥ）、ユーザユニット、ユーザ局、移動局、移動台、遠隔局、遠隔端末、移動機器、ユーザ端末、端末、無線通信機器、ユーザーエージェントまたはユーザ装置であってもよい。アクセス端末は、セルラーホン、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、ワイヤレスローカルループ（Ｗｉｒｅｌｅｓｓ  Ｌｏｃａｌ  Ｌｏｏｐ、ＷＬＬ）ステーション、パーソナルデジタルアシスタント（Ｐｅｒｓｏｎａｌ  Ｄｉｇｉｔａｌ  Ａｓｓｉｓｔａｎｔ、ＰＤＡ）、無線通信機能を有するハンドヘルドデバイス、計算機器または無線モデムに接続されたほかの処理デバイス、車載デバイス、ウェアラブルデバイス、将来の５Ｇネットワーク内の端末機器または将来の進化型ＰＬＭＮ内の端末機器などであってもよい。
【００６６】
ネットワーク機器１１０と端末機器１２０の間にアップダウンリンク伝送が実施可能であり、該無線通信システム１００は、少なくとも２種の波形のアップリンク伝送をサポートでき、たとえば、該無線通信システム１００がサポートする波形は、直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）または離散フーリエ変換拡張ＯＦＤＭ（Ｄｉｓｃｒｅｔｅ  Ｆｏｕｒｉｅｒ  Ｔｒａｎｓｆｏｒｍ−ｓｐｒｅａｄｉｎｇ−ＯＦＤＭ、ＤＦＴ−ｓ−ＯＦＤＭ）を含んでもよく、または、ほかの波形を含んでもよく、本発明の実施例ではこれについて限定しない。具体的にはアップリンク伝送を行うとき、ネットワーク機器１１０は、サポートできる少なくとも２種の選択可能なアップリンク波形の中から現在のアップリンク伝送に採用される波形を確定できる。
【００６７】
図１では、１つのネットワーク機器と２つの端末機器を例示的に示しているが、場合によっては、該無線通信システム１００は、複数のネットワーク機器を含み、各ネットワーク機器のカバレッジ範囲内に他の数の端末機器を含んでもよい。本発明の実施例では、これについて限定しない。
【００６８】
場合によっては、該無線通信システム１００は、ネットワークコントローラ、モビリティ管理エンティティなどの他のネットワークエンティティを含むとしてもよい。本発明の実施例では、これについて限定しない。
【００６９】
なお、本明細書における用語「システム」および「ネットワーク」は、本明細書では交換可能に採用される。本明細書における用語「および／または」は関連対象の関連関係を説明するものに過ぎず、３種類の関係があることを示し、たとえば、Ａおよび／またはＢの場合は、Ａが単独で存在する場合と、ＡおよびＢの両方が同時に存在する場合と、Ｂが単独で存在する場合を示す。さらに、本明細書における符号「／」は、一般的に、前後の関連対象が「または」関係にあることを示す。
【００７０】
図２は、本発明の実施例による通信方法２００の図式的フローチャートである。該方法２００は図１に示される無線通信システム１００に適用できる。
【００７１】
Ｓ２１０では、端末機器が、該端末機器の現在所在する位置領域を指示するための第１の指示情報をネットワーク機器に送信する。
【００７２】
本発明の実施例では、端末機器の現在所在する位置領域は、端末機器が現在ネットワーク機器により管理されるセルに位置する位置領域を指すことができる。場合によっては、アップリンク伝送に採用される波形による送信パワーの効率への影響が大きいため、本発明の実施例における位置領域は端末機器に採用される送信パワーに関連付けられてもよいが、本発明の実施例にはこれに制限されない。
【００７３】
選択的な一実施例として、ネットワーク機器のカバレッジは、セル中心領域、セルエッジ領域およびセル中心領域とセルエッジ領域以外のほかの領域であるという３つの位置領域に分割することができ、該ほかの領域は、該セル中心領域とセルエッジ領域の間に位置してもよい。このとき、場合によっては、端末機器の現在所在する位置領域は、具体的には、セル中心領域、セルエッジ領域、またはセル中心領域とセルエッジ領域の間の領域である。
【００７４】
このとき、場合によっては、該第１の指示情報において２つのビットで該端末機器の現在所在する位置領域を指示できる。一例として、００は該端末機器の現在位置がセル中心領域であることを、１１は該端末機器の現在位置がセルエッジ領域であることを、０１は該端末機器の現在位置がセル中心領域とセルエッジ領域の間であることを、１０は保留状態を示し、なお、本発明の実施例では、ビットと位置領域の間の対応関係について限定しない。場合によっては、ほかの数のビットで端末機器の現在所在する位置領域を指示してもよく、本発明の実施例では、これについて限定しない。
【００７５】
もう1つの選択可能な一実施例として、ネットワーク機器のカバレッジは、２つの位置領域、たとえば、セルエッジ領域とセルエッジ領域以外のほかの領域、またはセル中心領域とセル中心領域以外のほかの領域に分割することができる。または、ネットワーク機器のカバレッジはほかの数の位置領域に分割してもよく、本発明の実施例では、これについて限定しない。
【００７６】
本発明の実施例では、端末機器は、自分の現在所在する位置領域を確定し、且つネットワーク機器に自分の現在所在する位置領域を報告することができる。具体的には、端末機器は、複数種の方式で自分の現在所在する位置領域を確定できる。たとえば、端末機器は、ネットワーク機器から送信したダウンリンク基準信号を測定して、測定結果に基づいて、自分の現在所在する位置領域を確定できる。一例として、該測定結果は、パスロス、基準信号受信パワー（Ｒｅｆｅｒｅｎｃｅ  Ｓｉｇｎａｌ  Ｒｅｃｅｉｖｅｄ  Ｐｏｗｅｒ、ＲＳＲＰ）および基準信号受信品質（Ｒｅｆｅｒｅｎｃｅ  Ｓｉｇｎａｌ  Ｒｅｃｅｉｖｅｄ  Ｑｕａｌｉｔｙ、ＲＳＲＱ）のうちの少なくとも１種を含んでもよく、または該測定結果は、ほかのパラメータを含んでもよく、本発明の実施例では、これについて限定しない。
【００７７】
該測定結果がパスロスを含む場合を例にすれば、該端末機器は、測定したパスロスに基づいて、現在所在する位置領域を確定できる。場合によっては、該パスロスが第１の閾値条件を満たし、たとえば、該パスロスが第１の閾値より低い場合、該端末機器は、現在位置をセル中心領域として確定し、該パスロスが第２の閾値条件を満たし、たとえば、該パスロスが該第１の閾値より大きい第２の閾値より高い場合、該端末機器は、現在位置をセルエッジ領域として確定し、該パスロスが該第１の閾値と該第２の閾値の間にある場合、該端末機器は、現在位置をセル中心領域とセルエッジ領域の間として確定できる。場合によっては、該第１の閾値条件および該第２の閾値条件は、プロトコルにより定義されてもよく、または、ネットワーク機器が端末機器に第３の指示情報を送信することにより指示されてもよく、該第３の指示情報は、ＵＥ固有シグナリングに含まれてもよく、ブロードキャストメッセージに含まれてもよく、本発明の実施例では、これについて限定しない。
【００７８】
本発明の実施例では、該端末機器は、現在所在する位置領域を確定した後、常に該ネットワーク機器に自分の現在所在する位置領域を報告してもよく、特定の場合にのみ、ネットワーク機器に自分の現在所在する位置領域を報告してもよい。たとえば、該端末機器は、現在位置をセル中心領域として確定する場合にのみ、該ネットワーク機器に現在所在する位置領域を報告し、また、たとえば、該端末機器は、前回ネットワーク機器に報告した位置領域の情報を記憶し、且つ確定された現在所在する位置領域が前回報告した位置領域と異なる場合にのみ、該ネットワーク機器に現在所在する位置領域を報告してもよい。場合によっては、該端末機器がネットワーク機器に自分の現在所在する位置領域を報告することのトリガー条件は、プロトコルにより定義されてもよく、ネットワーク機器により予め設定されてもよく、たとえば、ブロードキャストメッセージにおいて設置され、本発明の実施例では、これについて限定しない。
【００７９】
本発明の実施例では、端末機器は、能動的にネットワーク機器に第１の指示情報を送信してもよい。たとえば、端末機器は、アップリンクデータの送信を必要とするとき、または最初に該ネットワーク機器にアクセスするときに、ネットワーク機器に第１の指示情報を送信してもよい。または、端末機器は、ネットワーク機器に自分の現在所在する位置領域を周期的に報告してもよく、本発明の実施例では、これについて限定しない。場合によっては、該端末機器は、ネットワーク機器による指示を受信すると、ネットワーク機器に該第１の指示情報を送信してもよく、本発明の実施例はそれに制限されない。
【００８０】
1つの選択可能な実施例として、端末機器は、該ネットワーク機器にランダムにアクセスする過程において、該ネットワーク機器に該第１の指示情報を送信してもよい。たとえば、該端末機器は、ネットワーク機器に送信されるランダムアクセス要請に該第１の指示情報を含ませてもよい。
【００８１】
一例として、端末機器は、ランダムアクセス要請におけるプリアンブルの後に情報ビットを添付する方式で自分の現在所在する位置領域を報告してもよい。このとき、該ランダムアクセス要請はプリアンブルおよび該第１の指示情報を含み、該第１の指示情報が占めるビットは該プリアンブルの直後にある。場合によっては、該第１の指示情報は該プリアンブルのほかの位置に位置してもよく、本発明の実施例では、プリアンブルと該第１の指示情報の間の位置関係について限定しない。
【００８２】
もう1つの例として、端末機器は、ランダムアクセス要請に異なるプリアンブルを持たせることにより、自分の現在所在する位置領域を指示してもよく、このような場合、該ランダムアクセス要請が第１の指示情報を持つことは、具体的には、該ランダムアクセス要請が該端末機器の現在所在する位置領域に対応するプリアンブルを持つことである。プリアンブルまたはプリアンブルセットと位置領域の間の対応関係は、プロトコルにより定義されてもよく、または、ネットワーク機器により予め設定されてもよく、本発明の実施例では、これについて限定しない。このとき、該端末機器は、複数の選択可能なプリアンブルの中から自分の現在所在する位置領域に対応するプリアンブルを確定し、該ネットワーク機器に該プリアンブルを送信し、それに対応して、該ネットワーク機器は、受信したプリアンブルおよびプリアンブルまたはプリアンブルセットと位置領域の間の対応関係に基づいて、該端末機器の現在所在する位置領域を確定してもよいが、本発明の実施例にはそれに制限されない。
【００８３】
もう1つの選択可能な実施例として、端末機器は、アップリンクスケジューリングを要請する過程においてネットワーク機器に自分の現在所在する位置領域を報告してもよい。たとえば、該端末機器は、該第１の指示情報を持つスケジューリング要請をネットワーク機器に送信してもよい。選択可能な一実施例として、現在１つのみのビットを有するスケジューリング要請を拡張し、たとえばスケジューリング要請を２つ以上のビットに拡張することができ、該スケジューリング要請における一部または全部のビットは該第１の指示情報を担持することに用いられてもよく、本発明の実施例はそれに制限されない。
【００８４】
Ｓ２２０では、ネットワーク機器が、該端末機器の現在所在する位置領域に基づいて、少なくとも２つの選択可能なアップリンク波形の中から第１のターゲット波形を確定する。
【００８５】
もう1つ選択可能な実施例として、該少なくとも２つの選択可能なアップリンク波形は、ＯＦＤＭとＤＦＴ−ｓ−ＯＦＤＭを含んでもよく、または、ほかのタイプの波形を含んでもよく、本発明の実施例では、これについて限定しない。
【００８６】
一例として、該端末機器の現在位置がセル中心領域である場合、該ネットワーク機器は、ＯＦＤＭを該第１のターゲット波形として確定できる。場合によっては、該端末機器の現在位置がセルエッジ領域である場合、該ネットワーク機器は、ＤＦＴ−ｓ−ＯＦＤＭを該第１のターゲット波形として確定できる。場合によっては、該端末機器の現在所在する位置領域がセルエッジ領域とセル中心領域の間に位置する場合、該ネットワーク機器は、ＯＦＤＭまたはＤＦＴ−ｓ−ＯＦＤＭを該第１のターゲット波形として確定し、または該端末機器のほかの情報を結合しながら、該少なくとも２つの選択可能なアップリンク波形の中から該第１のターゲット波形を確定し、たとえば、該端末機器から送信したアップリンク基準信号に対する測定結果を結合して、該第１のターゲット波形を確定してもよく、本発明の実施例では、これについて限定しない。
【００８７】
Ｓ２３０では、ネットワーク機器が、該第１のターゲット波形を指示するための第２の指示情報を端末機器に送信する。
【００８８】
場合によっては、該ネットワーク機器が該第１の指示情報を持つランダムアクセス要請を受信する場合、Ｓ２３０では、該ネットワーク機器は、該第２の指示情報を持つランダムアクセスレスポンスを該端末機器に送信してもよく、本発明の実施例はそれに制限されない。
【００８９】
場合によっては、該ネットワーク機器が該第１の指示情報を持つスケジューリング要請を受信する場合、Ｓ２３０では、該ネットワーク機器は、該第２の指示情報を持つアップリンクグラント（ＵＬ  ｇｒａｎｔ）を該端末機器に送信してもよく、本発明の実施例はそれに制限されない。
【００９０】
もう1つの選択可能な実施例として、該第１の指示情報により該端末機器の現在所在する位置領域がセル中心領域とセルエッジ領域の間にあると指示する場合、該第２の指示情報はさらに、該端末機器が該ネットワーク機器にアップリンク基準信号を送信するように指示するが、本発明の実施例はそれに制限されない。
【００９１】
Ｓ２４０では、端末機器が、第１のターゲット波形を用いてアップリンク伝送を行う。
【００９２】
場合によっては、該第２の指示情報がさらに、該端末機器がアップリンク基準信号を送信するように指示する場合、Ｓ２４０では、該端末機器は、該第１のターゲット波形を用いて該ネットワーク機器にアップリンク基準信号、たとえばサウンディング基準信号（Ｓｏｕｎｄｉｎｇ  Ｒｅｆｅｒｅｎｃｅ  Ｓｉｇｎａｌ、ＳＲＳ）を送信できる。それに対応して、該ネットワーク機器は、該端末機器から送信したアップリンク基準信号を測定して、測定結果に基づいて該少なくとも２つの選択可能なアップリンク波形の中から第２のターゲット波形を確定し、なお、該第２のターゲット波形は該第１のターゲット波形と同一であってもよく、または異なってもよい。
【００９３】
選択可能な一例として、該ネットワーク機器による測定結果はパスロスを含み、且つ該ネットワーク機器は以下の方式で第２のターゲット波形を確定できる。該パスロスが所定閾値より低い場合、該ネットワーク機器は、ＯＦＤＭを該第２のターゲット波形として確定し、そうではない場合、該ネットワーク機器は、ＤＦＴ−ｓ−ＯＦＤＭを該第２のターゲット波形として確定する。場合によっては、該ネットワーク機器による測定結果はほかのパラメータを含んでもよく、本発明の実施例では、ネットワーク機器が測定結果に基づいて第２のターゲット波形を確定する方式について、限定しない。
【００９４】
場合によっては、該第２のターゲット波形を定めた後、該ネットワーク機器は、該第２のターゲット波形を指示するための第４の指示情報を該端末機器に送信してもよい。それに対応して、該端末機器は、該ネットワーク機器から送信した第４の指示情報を受信して、該第２のターゲット波形を用いてアップリンク伝送を行う。
【００９５】
本発明の実施例では、該ネットワーク機器は、該第２のターゲット波形と該第１のターゲット波形が同一であるか否かを問わず、該端末機器に該第４の指示情報を送信してもよい。このとき、該端末機器は、受信した第４の指示情報に基づいて、該第２のターゲット波形を確定する。
【００９６】
他の選択可能な一実施例として、該ネットワーク機器は、該第２のターゲット波形と該第１のターゲット波形が異なる場合にのみ、該端末機器に該第４の指示情報を送信してもよい。このとき、該端末機器は、該第４の指示情報を受信する場合、該第４の指示情報により指示される第２のターゲット波形を用いてアップリンク伝送を行い、該第４の指示情報を受信しない場合は、該第１のターゲット波形を用いてアップリンク伝送を行う。このとき、場合によっては、該端末機器は、該第２の指示情報を受信するとき、またはネットワーク機器にアップリンク基準信号を送信するときに、タイマーを起動させ、タイマーがタイムアウトになっても該第４の指示情報を受信しないと、該第１のターゲット波形を用いてアップリンク伝送を行い、該タイマーはプロトコルにより規定されてもよく、またはネットワーク機器により設定されてもよく、たとえば、該ネットワーク機器により第２の指示情報において指示されるが、本発明の実施例はそれに制限されない。
【００９７】
従来技術では、ネットワーク機器がアップリンク伝送に採用される波形を確定するのに、端末機器から送信したアップリンク基準信号を測定することが必要である。しかし、端末機器が最初にネットワーク機器にアクセスしまたはネットワーク機器にアップリンクスケジューリング（ｓｃｈｅｄｕｌｉｎｇ  ｒｅｑｕｅｓｔ）を要請するとき、ネットワーク機器は、アップリンク基準信号を測定してアップリンク伝送に採用される波形を確定することができない。本発明の実施例による通信方法では、端末機器がネットワーク機器に自分の現在所在する位置領域を報告し、ネットワーク機器が該端末機器の現在所在する位置領域に基づいて、少なくとも２つの選択可能なアップリンク波形の中から該端末機器の第１のターゲット波形を確定することによって、各種シナリオにおいてアップリンク伝送に採用される波形を確定することに適用でき、特に端末機器がＲＲＣ接続モードではない場合にも、端末機器のアップリンク伝送に採用される波形を確定でき、たとえば、端末機器は最初にネットワーク機器にアクセスするか、または端末機器はアップリンクスケジューリングを要請し、それによってシステム性能を向上させる。
【００９８】
なお、上記各過程の番号の大きさは、実行順序的先後を意味するものではなく、各過程の実行順序は、その機能および内部ロジックによって確定され、本発明の実施例の実施過程を限定するものと解釈されるべきではない。
【００９９】
図３は、本発明の実施例による端末機器３００を図式的に示している。該端末機器３００は、
該端末機器３００の現在所在する位置領域を指示するための第１の指示情報をネットワーク機器に送信する送信ユニット３１０と、
該ネットワーク機器から送信した、該ネットワーク機器が送信ユニット３１０を通じて送信した第１の指示情報に基づいて少なくとも２つの選択可能なアップリンク波形の中から決定する第１のターゲット波形を指示するための第２の指示情報を受信する受信ユニット３２０とを備える。
【０１００】
該送信ユニット３１０はさらに、該受信ユニット３２０が受信した該第２の指示情報により指示される該第１のターゲット波形を用いてアップリンク伝送を行う。
【０１０１】
場合によっては、該端末機器３００の現在所在する位置領域は、セル中心領域、セルエッジ領域、またはセル中心領域とセルエッジ領域の間に位置する領域を含むとしてもよい。
【０１０２】
場合によっては、該送信ユニット３１０は、具体的には、該第１の指示情報を持つランダムアクセス要請をネットワーク機器に送信するとしてもよい。
【０１０３】
このとき、場合によっては、該受信ユニット３２０は、具体的には、ネットワーク機器から送信した、該第２の指示情報を持つランダムアクセスレスポンスを受信するとしてもよい。
【０１０４】
場合によっては、該ランダムアクセス要請はプリアンブルをさらに含み、該第１の指示情報が占めるビットは該プリアンブルの直後にある。
【０１０５】
場合によっては、該端末機器３００はさらに、該送信ユニット３１０がネットワーク機器に第１の指示情報を送信する前、位置領域とプリアンブルの間の対応関係に基づいて、少なくとも２つのプリアンブルの中から該端末機器３００の現在所在する位置領域に対応するプリアンブルを確定する第１の確定ユニットを備えるとしてもよい。
【０１０６】
このとき、該ランダムアクセス要請が該第１の指示情報を持つことは、該ランダムアクセス要請が該確定ユニットにより確定されたプリアンブルを持つ場合を含む。
【０１０７】
場合によっては、該送信ユニット３１０は、具体的には、該第１の指示情報を持つスケジューリング要請をネットワーク機器に送信するとしてもよい。
【０１０８】
このとき、場合によっては、該受信ユニット３２０は、具体的には、ネットワーク機器から送信した、該第２の指示情報を持つアップリンクグラントを受信するとしてもよい。
【０１０９】
場合によっては、該端末機器３００はさらに、
該送信ユニット３１０がネットワーク機器に第１の指示情報を送信する前、該ネットワーク機器から送信したダウンリンク基準信号を測定する測定ユニットと、
該測定ユニットによる測定結果に基づいて、該端末機器３００の現在所在する位置領域を確定する第２の確定ユニットとを備える。
【０１１０】
場合によっては、該第２の確定ユニットは、具体的には、該測定ユニットによる測定結果を少なくとも２つの閾値条件と比較することにより、該端末機器３００の現在所在する位置領域を確定するとしてもよい。
【０１１１】
場合によっては、該受信ユニット３２０はさらに、該第２の確定ユニットが該測定ユニットによる測定結果に基づいて、該端末機器３００の現在所在する位置領域を確定する前、該ネットワーク機器から送信した、該少なくとも２つの閾値条件を指示するための第３の指示情報を受信するとしてもよい。
【０１１２】
場合によっては、該受信ユニット３２０は、具体的には、該ネットワーク機器から送信した、該第３の指示情報を持つブロードキャストメッセージを受信するとしてもよい。
【０１１３】
場合によっては、該第１の指示情報により該端末機器３００の現在位置がセルエッジ領域とセル中心領域の間であると指示すると、該第２の指示情報はさらに、該端末機器３００が該ネットワーク機器にアップリンク基準信号を送信するように指示し、
それに対応して、該送信ユニット３１０は、具体的には、該第２の指示情報に基づいて、該第１のターゲット波形を用いて、該ネットワーク機器にアップリンク基準信号を送信する。としてもよい
【０１１４】
場合によっては、該受信ユニット３２０はさらに、該ネットワーク機器から送信した、該ネットワーク機器が該アップリンク基準信号に基づいて該少なくとも２つの選択可能なアップリンク波形の中から決定した第２のターゲット波形を指示するための第４の指示情報を受信し、
それに対応して、該送信ユニット３１０はさらに、該受信ユニット３２０が受信した第４の指示情報により指示される該第２のターゲット波形を用いて、アップリンク伝送を行う。としてもよい
【０１１５】
場合によっては、該第１の指示情報は少なくとも２つのビットを占めるとしてもよい。
【０１１６】
場合によっては、該少なくとも２つの選択可能なアップリンク波形は、ＯＦＤＭとＤＦＴ−ｓ−ＯＦＤＭを含むとしてもよい。
【０１１７】
なお、ここでの端末機器３００は、機能ユニットの形態で具体化されている。本明細書における「ユニット」という用語は、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、電子回路、１つまたはそれ以上のソフトウェアまたはファームウェアプログラムを実行するプロセッサ（たとえば、共有プロセッサ、専用プロセッサ、またはグループプロセッサなど）およびメモリ、マージロジック回路および／または記載された機能をサポートする他の適切なコンポーネントを指す。選択可能な一例において、当業者が理解できるように、端末機器３００は具体的には、上述した方法実施例における端末機器であってもよく、端末機器３００は、上記方法実施例において端末機器に対応する様々な流れおよび／またはステップを実行するために採用されてもよく、説明の重複を避けるように、ここで詳細については省略する。
【０１１８】
図４は、本発明の実施例によるネットワーク機器４００を図式的に示している。該ネットワーク機器４００は、
端末機器から送信した、該端末機器の現在所在する位置領域を指示するための第１の指示情報を受信する受信ユニット４１０と、
該受信ユニット４１０が受信した該第１の指示情報により指示される位置領域に基づいて、少なくとも２つの選択可能なアップリンク波形の中から第１のターゲット波形を確定する処理ユニット４２０と、
該端末機器が該処理ユニット４２０により確定された第１のターゲット波形を用いてアップリンク伝送を行うように指示するための第２の指示情報を該端末機器に送信する送信ユニット４３０とを備える。
【０１１９】
場合によっては、該端末機器の現在所在する位置領域は、セル中心領域、セルエッジ領域、またはセル中心領域とセルエッジ領域の間に位置する領域を含むとしてもよい。
【０１２０】
場合によっては、該受信ユニット４１０は、具体的には、端末機器から送信した、該第１の指示情報を持つランダムアクセス要請を受信するとしてもよい。
【０１２１】
このとき、場合によっては、該送信ユニット４３０は、具体的には、該第２の指示ランダムアクセスレスポンスを端末機器に送信するとしてもよい。
【０１２２】
場合によっては、該ランダムアクセス要請はプリアンブルをさらに含み、該第１の指示情報が占めるビットは該プリアンブルの直後にある。
【０１２３】
場合によっては、該ランダムアクセス要請が該第１の指示情報を持つことは、該ランダムアクセス要請が該端末機器の現在所在する位置領域に対応するプリアンブルを持つ場合を含むとしてもよい。
【０１２４】
場合によっては、該受信ユニット４１０は、具体的には、端末機器から送信した、該第１の指示情報を持つスケジューリング要請を受信するとしてもよい。
【０１２５】
このとき、場合によっては、該送信ユニット４３０は、具体的には、該第２の指示情報を持つアップリンクグラントを端末機器に送信してもよい。
【０１２６】
場合によっては、該送信ユニット４３０はさらに、該受信ユニット４１０が端末機器から送信した第１の指示情報を受信する前、該端末機器が現在所在する位置領域を確定するためのダウンリンク基準信号を該端末機器に送信するとしてもよい。
【０１２７】
場合によっては、該送信ユニット４３０はさらに、該受信ユニット４１０が端末機器から送信した第１の指示情報を受信する前、該端末機器が該ダウンリンク基準信号の測定結果に基づいて現在所在する位置領域を確定するための少なくとも２つの閾値条件を指示するための第３の指示情報を該端末機器に送信するとしてもよい。
【０１２８】
場合によっては、該送信ユニット４３０は、具体的には、該第３の指示情報を持つブロードキャストメッセージを該端末機器に送信するとしてもよい。
【０１２９】
場合によっては、該処理ユニット４２０は、具体的には、該第１の指示情報により該端末機器の現在位置がセルエッジ領域とセル中心領域の間であると指示すると、該少なくとも２つの選択可能なアップリンク波形のうちのＤＦＴ−ｓ−ＯＦＤＭを該第１のターゲット波形として確定するとしてもよい。
【０１３０】
場合によっては、該第１の指示情報により該端末機器の現在位置がセルエッジ領域とセル中心領域の間であると指示すると、該第２の指示情報はさらに、該端末機器が該ネットワーク機器にアップリンク基準信号を送信するように指示する。
【０１３１】
このとき、場合によっては、該受信ユニット４１０はさらに、該端末機器が該第１のターゲット波形を用いて送信したアップリンク基準信号を受信し、
それに対応して、該処理ユニット４２０はさらに、該受信ユニット４１０が受信したアップリンク基準信号に基づいて、該少なくとも２つの選択可能なアップリンク波形の中から第２のターゲット波形を確定するとしてもよい。
【０１３２】
具体的には、該処理ユニット４２０は、受信したアップリンク基準信号を測定して、測定結果に基づいて、該少なくとも２つの選択可能なアップリンク波形の中から第２のターゲット波形を確定してもよい。
【０１３３】
選択可能な一例として、該測定結果はパスロスを含んでもよい。このとき、場合によっては、該処理ユニット４２０は、具体的には、
該パスロスが所定閾値より低い場合、該少なくとも２つの選択可能なアップリンク波形のうちのＯＦＤＭを該第２のターゲット波形として確定し、
そうではない場合、該少なくとも２つの選択可能なアップリンク波形のうちのＤＦＴ−ｓ−ＯＦＤＭを該第２のターゲット波形として確定する。
【０１３４】
場合によっては、該送信ユニット４３０はさらに、該端末機器が該第２のターゲット波形を用いてアップリンク伝送を行うように指示するための第４の指示情報を該端末機器に送信するとしてもよい。
【０１３５】
場合によっては、該第１の指示情報は少なくとも２つのビットを占めるとしてもよい。
【０１３６】
場合によっては、該少なくとも２つの選択可能なアップリンク波形は、ＯＦＤＭとＤＦＴ−ｓ−ＯＦＤＭを含んでとよい。
【０１３７】
なお、ここでのネットワーク機器４００は、機能ユニットの形態で具体化されている。本明細書における「ユニット」という用語は、特定集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、電子回路、１つ以上のソフトウェアまたはファームウェアプログラムを実行するプロセッサ（たとえば、共有プロセッサ、専用プロセッサ、またはグループプロセッサなど）およびメモリ、マージロジック回路および／または説明された機能をサポートする他の適切なコンポーネントを適用することを意味できる。選択可能な一例において、当業者が理解できるように、ネットワーク機器４００は具体的には、上述した方法実施例におけるネットワーク機器であってもよく、ネットワーク機器４００は、上記方法実施例においてネットワーク機器に対応する様々なフローおよび／またはステップを実行するために採用されてもよく、説明の重複を避けるように、ここで詳細については省略する。
【０１３８】
図５は、本発明の実施例による端末機器５００を図式的に示している。該端末機器５００は、
ネットワーク機器に、該端末機器５００の現在所在する位置領域を指示するための第１の指示情報を送信する送信機５１０と、
該ネットワーク機器から送信した、該ネットワーク機器が送信機５１０から送信した第１の指示情報に基づいて少なくとも２つの選択可能なアップリンク波形の中から定めた第１のターゲット波形を指示するための第２の指示情報を受信する受信機５２０とを備える。
【０１３９】
該送信機５１０はさらに、該受信機５２０が受信した該第２の指示情報により指示される該第１のターゲット波形を用いてアップリンク伝送を行う。
【０１４０】
場合によっては、該端末機器５００の現在所在する位置領域は、セル中心領域、セルエッジ領域、またはセル中心領域とセルエッジ領域の間に位置する領域を含むとしてもよい。
【０１４１】
場合によっては、該送信機５１０は、具体的には、該第１の指示情報を持つランダムアクセス要請をネットワーク機器に送信するとしてもよい。
【０１４２】
このとき、場合によっては、該受信機５２０は、具体的には、ネットワーク機器から送信した、該第２の指示情報を持つランダムアクセスレスポンスを受信するとしてもよい。
【０１４３】
場合によっては、該ランダムアクセス要請はプリアンブルをさらに含み、該第１の指示情報が占めるビットは該プリアンブルの直後にある。
【０１４４】
場合によっては、該端末機器５００はさらに、該送信機５１０がネットワーク機器に第１の指示情報を送信する前、位置領域とプリアンブルの間の対応関係に基づいて、少なくとも２つのプリアンブルの中から該端末機器５００の現在所在する位置領域に対応するプリアンブルを確定するプロセッサを備えるとしてもよい。
【０１４５】
このとき、該ランダムアクセス要請が該第１の指示情報を持つことは、該ランダムアクセス要請が該プロセッサにより確定されたプリアンブルを含む場合を含む。
【０１４６】
場合によっては、該送信機５１０は、具体的には、該第１の指示情報を持つスケジューリング要請をネットワーク機器に送信するとしてもよい。
【０１４７】
このとき、場合によっては、該受信機５２０は、具体的には、ネットワーク機器から送信した、該第２の指示情報を持つアップリンクグラントを受信するとしてもよい。
【０１４８】
場合によっては、該端末機器５００はさらに、該送信機５１０がネットワーク機器に第１の指示情報を送信する前、該ネットワーク機器から送信したダウンリンク基準信号を測定して、測定結果に基づいて、該端末機器５００の現在所在する位置領域を確定するプロセッサを備えるとしてもよい。
【０１４９】
場合によっては、該プロセッサは、具体的には、測定結果を少なくとも２つの閾値条件と比較することにより、該端末機器５００の現在所在する位置領域を確定するとしてもよい。
【０１５０】
場合によっては、該受信機５２０はさらに、測定結果に基づいて、該端末機器５００の現在所在する位置領域を確定する前、該ネットワーク機器から送信した、該少なくとも２つの閾値条件を指示するための第３の指示情報を受信するとしてもよい。
【０１５１】
場合によっては、該受信機５２０は、具体的には、該ネットワーク機器から送信した、該第３の指示情報を持つブロードキャストメッセージを受信する。
【０１５２】
場合によっては、該第１の指示情報により該端末機器５００の現在位置がセルエッジ領域とセル中心領域の間であると指示すると、該第２の指示情報はさらに、該端末機器５００が該ネットワーク機器にアップリンク基準信号を送信するように指示し、
それに対応して、該送信機５１０は、具体的には、該第２の指示情報に基づいて、該第１のターゲット波形を用いて該ネットワーク機器にアップリンク基準信号を送信するとしてもよい。
【０１５３】
場合によっては、該受信機５２０はさらに、該ネットワーク機器から送信した、該ネットワーク機器が該アップリンク基準信号に基づいて該少なくとも２つの選択可能なアップリンク波形の中から決定する第２のターゲット波形を指示するための第４の指示情報を受信し、
それに対応して、該送信機５１０はさらに、該受信機５２０が受信した第４の指示情報により指示される該第２のターゲット波形を用いて、アップリンク伝送を行うとしてもよい。
【０１５４】
場合によっては、該第１の指示情報は少なくとも２つのビットを占めるとしてもよい。
【０１５５】
場合によっては、該少なくとも２つの選択可能なアップリンク波形は、ＯＦＤＭとＤＦＴ−ｓ−ＯＦＤＭを含むとしてもよい。
【０１５６】
なお、ここでの端末機器５００は、具体的には上記実施例における端末機器であってもよく、且つ上記方法実施例において端末機器に対応する各ステップおよび／またはフローを実行できる。
【０１５７】
場合によっては、端末機器５００はさらに、読み出し専用メモリおよびランダムアクセスメモリを含むメモリを含み、命令およびデータをプロセッサに提供してもよい。メモリの一部はまた、不揮発性ランダムアクセスメモリを含むことができる。たとえば、メモリは、機器タイプの情報を記憶することもできる。該プロセッサは、メモリに記憶された命令を実行するために採用され、該プロセッサは該命令を実行すると、上記方法実施例において端末機器に対応する各ステップを実行することができる。
【０１５８】
図６は、本発明の実施例によるネットワーク機器６００を図式的に示している。該ネットワーク機器６００は、
端末機器から送信した、該端末機器の現在所在する位置領域を指示するための第１の指示情報を受信する受信機６１０と、
該受信機６１０が受信した該第１の指示情報により指示される位置領域に基づいて、少なくとも２つの選択可能なアップリンク波形の中から第１のターゲット波形を確定するプロセッサ６２０と、
該端末機器が該プロセッサ６２０により確定された第１のターゲット波形を用いてアップリンク伝送を行うように指示するための第２の指示情報を該端末機器に送信する送信機６３０とを備える。
【０１５９】
場合によっては、該端末機器の現在所在する位置領域は、セル中心領域、セルエッジ領域、またはセル中心領域とセルエッジ領域の間に位置する領域を含むとしてもよい。
【０１６０】
場合によっては、該受信機６１０は、具体的には、端末機器から送信した、該第１の指示情報を持つランダムアクセス要請を受信するとしてもよい。
【０１６１】
このとき、場合によっては、該送信機６３０は、詳しくは、該第２の指示情報を持つランダムアクセスレスポンスを端末機器に送信するとしてもよい。
【０１６２】
場合によっては、該ランダムアクセス要請はプリアンブルをさらに含み、該第１の指示情報が占めるビットは該プリアンブルの直後にある。
【０１６３】
場合によっては、該ランダムアクセス要請が該第１の指示情報を持つことは、該ランダムアクセス要請が該端末機器の現在所在する位置領域に対応するプリアンブルを持つ場合を含むとしてもよい。
【０１６４】
場合によっては、該受信機６１０は、具体的には、端末機器から送信した、該第１の指示情報を持つスケジューリング要請を受信するとしてもよい。
【０１６５】
このとき、場合によっては、該送信機６３０は、具体的には、該第２の指示情報を持つアップリンクグラントを端末機器に送信するとしてもよい。
【０１６６】
場合によっては、該送信機６３０はさらに、該受信機６１０が端末機器から送信した第１の指示情報を受信する前、該端末機器が現在所在する位置領域を確定するためのダウンリンク基準信号を該端末機器に送信するとしてもよい。
【０１６７】
場合によっては、該送信機６３０はさらに、該受信機６１０が端末機器から送信した第１の指示情報を受信する前、該端末機器が該ダウンリンク基準信号の測定結果に基づいて現在所在する位置領域を確定するための少なくとも２つの閾値条件を指示するための第３の指示情報を該端末機器に送信するとしてもよい。
【０１６８】
場合によっては、該送信機６３０は、具体的には、該第３の指示情報を持つブロードキャストメッセージを該端末機器に送信するとしてもよい。
【０１６９】
場合によっては、該プロセッサ６２０は、具体的には、該第１の指示情報により該端末機器の現在位置がセルエッジ領域とセル中心領域の間であると指示すると、該少なくとも２つの選択可能なアップリンク波形のうちのＤＦＴ−ｓ−ＯＦＤＭを該第１のターゲット波形として確定するとしてもよい。
【０１７０】
場合によっては、該第１の指示情報により該端末機器の現在位置がセルエッジ領域とセル中心領域の間であると指示すると、該第２の指示情報はさらに、該端末機器が該ネットワーク機器にアップリンク基準信号を送信するように指示するとしてもよい。
【０１７１】
このとき、場合によっては、該受信機６１０はさらに、該端末機器が該第１のターゲット波形を用いて送信したアップリンク基準信号を受信し、
それに対応して、該プロセッサ６２０はさらに、該受信機６１０が受信したアップリンク基準信号に基づいて、該少なくとも２つの選択可能なアップリンク波形の中から第２のターゲット波形を確定するとしてもよい。
【０１７２】
具体的には、該プロセッサ６２０は、受信したアップリンク基準信号を測定して、測定結果に基づいて、該少なくとも２つの選択可能なアップリンク波形の中から第２のターゲット波形を確定してもよい。
【０１７３】
選択可能な一例として、該測定結果はパスロスを含んでもよい。このとき、場合によっては、該プロセッサ６２０は、具体的には、該パスロスが所定閾値より低い場合、該少なくとも２つの選択可能なアップリンク波形のうちのＯＦＤＭを該第２のターゲット波形として確定し、そうではない場合、該少なくとも２つの選択可能なアップリンク波形のうちのＤＦＴ−ｓ−ＯＦＤＭを該第２のターゲット波形として確定する。
【０１７４】
場合によっては、該送信機６３０はさらに、該端末機器が該第２のターゲット波形を用いてアップリンク伝送を行うように指示するための第４の指示情報を該端末機器に送信するとしてもよい。
【０１７５】
場合によっては、該第１の指示情報は少なくとも２つのビットを占めるとしてもよい。
【０１７６】
場合によっては、該少なくとも２つの選択可能なアップリンク波形は、ＯＦＤＭとＤＦＴ−ｓ−ＯＦＤＭを含むとしてもよい。
【０１７７】
なお、ここでのネットワーク機器６００は、具体的には上記実施例におけるネットワーク機器であってもよく、且つ上記方法実施例においてネットワーク機器に対応する各ステップおよび／またはフローを実行できる。
【０１７８】
場合によっては、ネットワーク機器６００はさらに、読み出し専用メモリおよびランダムアクセスメモリを含むメモリを含み、命令およびデータをプロセッサに提供してもよい。メモリの一部はまた、不揮発性ランダムアクセスメモリを含むことができる。たとえば、メモリは、機器タイプの情報も記憶することができる。該プロセッサは、メモリに記憶された命令を実行するために採用され、該プロセッサは該命令を実行すると、上記方法実施例において端末機器に対応する各ステップを実行することができる。
【０１７９】
当業者であれば、本明細書に開示された実施例を結合しながら説明された様々な方法のステップおよびユニットを、電子ハードウェア、コンピュータソフトウェア、またはその両方の組み合わせで実施することができ、ハードウェアおよびソフトウェアの互換性を明確に説明するために、上記の説明では、機能に応じて、各実施例のステップおよび構成について一般的に説明されている。これらの機能がハードウェアで実行されるかソフトウェアで実行されるかは、技術案の特定の用途および設計上の制約条件によって決まる。当業者であれば、特定の用途ごとに異なる方法で説明された機能を実現することができるが、そのような実現は、本出願の範囲に含まれる。
【０１８０】
当業者にとって明らかなように、説明の利便さおよび簡素化のため、前述のシステム、装置、およびユニットの具体的な作動過程は前記方法実施例での対応する過程を結合すればよく、ここでは詳細な説明を省略する。
【０１８１】
なお、本願によって提供されるいくつかの実施例では、披露されたシステム、装置および方法は、他の方法で実施され得る。たとえば、以上で説明された装置の実施例は単なる例示に過ぎず、たとえば、前記ユニットの分割は、論理的な機能分割に過ぎず、実際に実現されるとき、複数のユニットや構成を組み合わせたり、他のシステムに統合されたり、一部の機能を無視したり実行しなかったりするような、ほかの分割方式を用いてもよい。また、図示または説明した相互結合、直接結合または通信接続は、あるインタフェース、装置またはユニットを介する間接的結合または通信接続であってもよく、電気的、機械的または他の形態の接続であってもよい。
【０１８２】
前記個別部材として説明されたユニットは、物理的に分離するものでもよくまたは物理的に分離するものでなくてもよく、ユニットとして表示される部材は物理的なユニットでもよくまたは物理的なユニットでなくてもよく、すなわち、同じ個所に位置してもよく、または複数のネットワークユニットに分布してもよい。実際の必要に応じて、ユニットの一部または全部を選択することで、本発明の実施例方案の目的を達成することができる。
【０１８３】
また、本発明の各実施例における各機能ユニットは、１つの処理ユニットに統合されていてもよく、物理的に別々に存在してもよく、２つまたは２つ以上が一体としてもよい。上記統合ユニットは、ハードウェアの形式で、またはソフトウェア機能ユニットの形式で実現することができる。
【０１８４】
前記統合ユニットは、ソフトウェア機能ユニットの形式で実現されて独立する製品として販売または採用される場合、コンピュータ可読記憶媒体に格納されてもよい。この理解に基づいて、本願の技術案の本質的な部分または従来技術に有用な部分、または該技術案の全部または一部は、ソフトウェア製品の形式で実施することができ、該コンピュータソフトウェア製品は、記憶媒体に記憶されて、コンピュータ機器（パーソナルコンピュータ、サーバ、またはネットワーク機器など）に、本発明の各実施例に記載された方法のステップの全部または一部を実行させるための多数の命令を含んでいる。前記記憶媒体には、プログラムコードを記憶可能なＵディスク、モバイルハードディスク、読み取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、光ディスクなどの多様な媒体が含まれる。
【０１８５】
上記は本願の具体的な実施形態に過ぎず、本願の保護範囲はそれに制限されず、当業者であれば、本願において開示されている技術範囲を逸脱することなく、各種の同等修正や置換を容易に想到することができ、これら修正または置換はすべて本願の保護範囲に含まれる。従って、本願の保護範囲は特許請求の範囲に準じるべきである。
【図１】
2020502877.tif 000003
【図２】
2020502877.tif 000004
【図３】
2020502877.tif 000005
【図４】
2020502877.tif 000006
【図５】
2020502877.tif 000007
【図６】
2020502877.tif 000008
【手続補正書】
【提出日】令和1年5月14日(2019.5.14)
【手続補正１】
【補正対象書類名】明細書
【補正対象項目名】全文
【補正方法】変更
【補正の内容】
【発明の詳細な説明】
【技術分野】
【０００１】
本発明の実施例は、通信分野、より詳しくは、通信方法、端末機器およびネットワーク機器に関する。
【背景技術】
【０００２】
従来の無線通信システム、たとえば、ロングタームエボリューション（ＬＴＥ）システムにおいて、端末機器は、終始同一種類の波形（ｗａｖｅｆｏｒｍ）を採用し、アップリンク伝送を行う。技術の発展に伴い、将来の無線通信システムにおいては、アップリンク伝送は、少なくとも２種類の波形をサポートすることができるので、基地局は、アップリンクスケジューリングを行う際にどのような波形を採用するかを決定する必要がある。
【０００３】
しかしながら、アップリンク伝送にどのような波形を採用するかを決定するとき、基地局は、一般的に、端末機器によるアップリンク基準信号を測定する必要がある。このように、端末機器が無線リソース制御（ＲＲＣ）接続モード（ＲＲＣ  ｃｏｎｎｅｃｔｅｄ  ｍｏｄｅ）であれば、基地局にアップリンク基準信号を長時間持続して送信することにより、端末機器の電力消耗量が大きくなる。端末機器が基地局にアップリンク基準信号を送信しない場合、基地局は、端末機器のアップリンク基準信号の変化をリアルタイムで追跡することができず、それによって、アップリンク伝送の誤ったスケジューリングを引き起こす可能性がある。
【発明の概要】
【発明が解決しようとする課題】
【０００４】
本発明の実施例は、様々なシナリオにおいて端末機器のアップリンク伝送に採用される波形を確定することに適用しうる通信方法、端末機器およびネットワーク機器を提供することにある。
【課題を解決するための手段】
【０００５】
第１の態様の実施例で提供される通信方法は、端末機器が、該端末機器の現在所在する位置領域を指示するための第１の指示情報をネットワーク機器に送信するステップと、該端末機器が、該ネットワーク機器から送信した、該ネットワーク機器が該端末機器の現在所在する位置領域に基づいて少なくとも２つの選択可能なアップリンク波形の中から確定した第１のターゲット波形を指示するための第２の指示情報を受信するステップと、該端末機器が、該第１のターゲット波形を用いてアップリンク伝送を行うステップとを含む。
【０００６】
具体的には、該端末機器の現在所在する位置領域は、具体的には、端末機器が現在該ネットワーク機器で管理されるセルにおいて所在する位置領域を意味してもよく、該位置領域は端末機器の送信パワーに応じて分割されてもよい。
【０００７】
一実施例として、該端末機器の現在所在する位置領域は、セル中心領域、セルエッジ領域、またはセル中心領域とセルエッジ領域の間に位置する領域を含む。
【０００８】
一実施例として、該端末機器は、現在所在する位置領域を確定した後、常にネットワーク機器に該第１の指示情報を送信してもよい。
【０００９】
一実施例として、該端末機器は、現在所在する位置領域が報告条件を満たすと定めたときにのみ、ネットワーク機器に該第１の指示情報を送信してもよい。
【００１０】
該報告条件は、プロトコルにより定義されてもよく、または該端末機器が該ネットワーク機器に該第１の指示情報を送信する前、該端末機器が受信したネットワーク機器から送信した指示情報により指示されてもよい。
【００１１】
第１の態様の第１の可能な実施形態において、該端末機器がネットワーク機器に第１の指示情報を送信するステップは、該端末機器が、該第１の指示情報を持つランダムアクセス要請を前記ネットワーク機器に送信することを含む。
【００１２】
このとき、一実施例として、該端末機器がネットワーク機器から送信した第２の指示情報を受信するステップは、該端末機器が、ネットワーク機器から送信した、該第２の指示情報を持つランダムアクセスレスポンスを受信することを含んでもよい。
【００１３】
第１の態様の上記可能な実施形態を結合し、第１の態様の第２の可能な実施形態において、該ランダムアクセスはプリアンブルをさらに持ち、該第１の指示情報が占めるビットは該プリアンブルの直後にある。
【００１４】
このとき、該ランダムアクセス要請は、プリアンブルおよび第１の指示情報を持つ。
【００１５】
第１の態様の上記可能な実施形態を結合し、第１の態様の第３の可能な実施形態において、該端末機器がネットワーク機器に第１の指示情報を送信する前、該方法はさらに、該端末機器が、前記位置領域と前記プリアンブルの間の対応関係に基づいて、少なくとも２つのプリアンブルの中から該端末機器の現在所在する位置領域に対応するプリアンブルを確定するステップを含み、該ランダムアクセス要請が該第１の指示情報を持つことは、該ランダムアクセス要請が該端末機器の現在所在する位置領域に対応するプリアンブルを持つ場合を含む。
【００１６】
一実施例として、プリアンブルまたはプリアンブルセットと位置領域の間の対応関係は、プロトコルにより定義されてもよく、または、該端末機器が対応するプリアンブルを確定する前、該端末機器が受信したネットワーク機器から送信した指示情報により指示されてもよく、該指示情報はプリアンブルまたはプリアンブルセットと位置領域の間の対応関係を指示する。
【００１７】
このとき、ネットワーク機器は、ランダムアクセス要請に含まれるプリアンブルに基づいて、該端末機器の現在所在する位置領域を確定できる。
【００１８】
このように、ランダムアクセス要請に含まれるプリアンブルにより端末機器の現在所在する位置領域を指示することによって、シグナリングオーバーヘッドを節約できる。
【００１９】
第１の態様の上記可能な実施形態を結合し、第１の態様の第４の可能な実施形態において、該端末機器がネットワーク機器に第１の指示情報を送信するステップは、該端末機器が、該第１の指示情報を持つスケジューリング要請をネットワーク機器に送信するステップを含む。
【００２０】
このとき、一実施例として、該端末機器が、ネットワーク機器から送信した第２の指示情報を受信するステップは、該端末機器が、ネットワーク機器から送信した、該第２の指示情報を持つアップリンクグラントを受信するステップを含む。
【００２１】
第１の態様の上記可能な実施形態を結合し、第１の態様の第５の可能な実施形態において、該端末機器がネットワーク機器に第１の指示情報を送信する前、該方法はさらに、該端末機器が、該ネットワーク機器から送信したダウンリンク基準信号を測定するステップと、該端末機器が、該測定結果に基づいて、該端末機器の現在所在する位置領域を確定するステップとを含む。
【００２２】
第１の態様の上記可能な実施形態を結合し、第１の態様の第６の可能な実施形態において、該端末機器が、該測定結果に基づいて、該端末機器の現在所在する位置領域を確定するステップは、該端末機器が、該測定結果を少なくとも２つの閾値条件と比較することにより、該端末機器の現在所在する位置領域を確定するステップを含む。
【００２３】
一実施例として、該測定結果が少なくとも２つの閾値条件のうちの第１の閾値条件を満たし、たとえば、該測定したパスロスが第１の閾値より低い場合、該端末機器は、該端末機器の現在位置がセル中心領域であることを確定できる。
【００２４】
一実施例として、該測定結果が少なくとも２つの閾値条件のうちの第２の閾値条件を満たし、たとえば、該測定したパスロスが第２の閾値より高い場合、該端末機器は、該端末機器の現在位置がセルエッジ領域であることを確定できる。
【００２５】
一実施例として、該測定結果が該第１の閾値条件および第２の閾値条件の両方を満たさず、たとえば、該測定したパスロスが第１の閾値と第２の閾値の間である場合、該端末機器は、該端末機器の現在位置がセル中心領域とセルエッジ領域の間であることを確定できる。
【００２６】
第１の態様の上記可能な実施形態を結合し、第１の態様の第７の可能な実施形態において、該端末機器が、該測定結果に基づいて、該端末機器の現在所在する位置領域を確定する前、該方法は、該端末機器が、該ネットワーク機器から送信した、該少なくとも２つの閾値条件を指示するための第３の指示情報を受信するステップをさらに含む。
【００２７】
第１の態様の上記可能な実施形態を結合し、第１の態様の第８の可能な実施形態において、該端末機器が、該ネットワーク機器から送信した第３の指示情報を受信するステップは、該端末機器が、該ネットワーク機器から送信した、該第３の指示情報を持つブロードキャストメッセージを受信するステップを含む。
【００２８】
第１の態様の上記可能な実施形態を結合し、第１の態様の第９の可能な実施形態において、該第１の指示情報により該端末機器の現在位置が前記セルエッジ領域と前記セル中心領域の間であると指示すると、該第２の指示情報は、該端末機器が該ネットワーク機器にアップリンク基準信号を送信するように指示し、該端末機器が、該第１のターゲット波形を用いてアップリンク伝送を行うステップは、該端末機器が、該第２の指示情報に基づいて、該第１のターゲット波形を用いて、該ネットワーク機器にアップリンク基準信号を送信するステップをさらに含む。
【００２９】
一実施例として、該第１の指示情報により該端末機器の現在位置がセルエッジ領域とセル中心領域の間であると指示すると、該第１のターゲット波形は、具体的には、該少なくとも２つの選択可能なアップリンク波形のうちのＤＦＴ−ｓ−ＯＦＤＭであってもよい。
【００３０】
第１の態様の上記可能な実施形態を結合し、第１の態様の第１０の可能な実施形態において、該方法は、該端末機器が、該ネットワーク機器から送信した、該ネットワーク機器が該アップリンク基準信号に基づいて該少なくとも２つの選択可能なアップリンク波形の中から確定した第２のターゲット波形を指示するための第４の指示情報を受信するステップと、該端末機器が、該第２のターゲット波形を用いてアップリンク伝送を行うステップとをさらに含む。
【００３１】
第２の態様の実施例で提供される他の通信方法は、ネットワーク機器が、端末機器から送信した、該端末機器の現在所在する位置領域を指示するための第１の指示情報を受信するステップと、該ネットワーク機器が、該端末機器の現在所在する位置領域に基づいて、少なくとも２つの選択可能なアップリンク波形の中から第１のターゲット波形を確定するステップと、該ネットワーク機器が、該端末機器が該第１のターゲット波形を用いてアップリンク伝送を行うように指示するための第２の指示情報を該端末機器に送信するステップとを含む。
【００３２】
第２の態様の第１の可能な実施形態において、該端末機器の現在所在する位置領域は、セル中心領域、セルエッジ領域、またはセル中心領域とセルエッジ領域の間に位置する領域を含む。
【００３３】
第２の態様の上記可能な実施形態を結合し、第２の態様の第２の可能な実施形態において、該ネットワーク機器が、端末機器から送信した第１の指示情報を受信するステップは、該ネットワーク機器が、前記端末機器から送信した、該第１の指示情報を持つランダムアクセス要請を受信するステップを含む。
【００３４】
このとき、一実施例として、該ネットワーク機器が該端末機器に第２の指示情報を送信するステップは、該ネットワーク機器が、該第２の指示情報を持つランダムアクセスレスポンスを該端末機器に送信するステップを含むとしてもよい。
【００３５】
第２の態様の上記可能な実施形態を結合し、第２の態様の第３の可能な実施形態において、該ランダムアクセス要請はプリアンブルをさらに持ち、該第１の指示情報が占めるビットは該プリアンブルの直後にある。
【００３６】
第２の態様の上記可能な実施形態を結合し、第２の態様の第４の可能な実施形態において、該ランダムアクセス要請が該第１の指示情報を持つことは、該ランダムアクセス要請が該端末機器の現在所在する位置領域に対応するプリアンブルを持つ場合を含む。
【００３７】
このとき、該ネットワーク機器は、該ランダムアクセス要請に含まれるプリアンブルに基づいて、該端末機器の現在所在する位置領域を確定できる。
【００３８】
第２の態様の上記可能な実施形態を結合し、第２の態様の第５の可能な実施形態において、該ネットワーク機器が端末機器から送信した第１の指示情報を受信するステップは、該ネットワーク機器が、端末機器から送信した、該第１の指示情報を持つスケジューリング要請を受信するステップを含む。
【００３９】
このとき、一実施例として、該ネットワーク機器が該端末機器に第２の指示情報を送信するステップは、該ネットワーク機器が、該第２の指示情報を持つアップリンクグラントを該端末機器に送信するステップを含むとしてもよい。
【００４０】
第２の態様の上記可能な実施形態を結合し、第２の態様の第６の可能な実施形態において、該ネットワーク機器が端末機器から送信した第１の指示情報を受信する前、該方法は、該ネットワーク機器が、該端末機器が現在所在する位置領域を確定するためのダウンリンク基準信号を該端末機器に送信するステップをさらに含む。
【００４１】
第２の態様の上記可能な実施形態を結合し、第２の態様の第７の可能な実施形態において、該ネットワーク機器が端末機器から送信した第１の指示情報を受信する前、該方法は、該ネットワーク機器が、該端末機器が該ダウンリンク基準信号の測定結果に基づいて現在所在する位置領域を確定するための少なくとも２つの閾値条件を指示するための第３の指示情報を該端末機器に送信するステップをさらに含む。
【００４２】
第２の態様の上記可能な実施形態を結合し、第２の態様の第８の可能な実施形態において、該ネットワーク機器が該端末機器に第３の指示情報を送信するステップは、該ネットワーク機器が、該第３の指示情報を持つブロードキャストメッセージを該端末機器に送信するステップを含む。
【００４３】
第２の態様の上記可能な実施形態を結合し、第２の態様の第９の可能な実施形態において、該ネットワーク機器が、該端末機器の現在所在する位置領域に基づいて、少なくとも２つの選択可能なアップリンク波形の中から第１のターゲット波形を確定するステップは、該第１の指示情報により該端末機器の現在位置が前記セルエッジ領域と前記セル中心領域の間であると指示すると、該少なくとも２つの選択可能なアップリンク波形のうちのＤＦＴ−ｓ−ＯＦＤＭを該第１のターゲット波形として確定するステップを含む。
【００４４】
第２の態様の上記可能な実施形態を結合し、第２の態様の第１０の可能な実施形態において、該第１の指示情報により該端末機器の現在位置が前記セルエッジ領域と前記セル中心領域の間であると指示すると、該第２の指示情報はさらに、該端末機器が該ネットワーク機器にアップリンク基準信号を送信するように指示し、該方法は、該ネットワーク機器が、該端末機器が該第１のターゲット波形を用いて送信したアップリンク基準信号を受信するステップと、該ネットワーク機器が、該端末機器から送信したアップリンク基準信号に基づいて、該少なくとも２つの選択可能なアップリンク波形の中から第２のターゲット波形を確定するステップとをさらに含む。
【００４５】
一実施例として、該ネットワーク機器は、該端末機器から送信したアップリンク基準信号を測定して、測定結果に基づいて、該第２のターゲット波形を確定してもよい。
【００４６】
一実施例として、該測定結果はパスロスを含んでもよい。このとき、一実施例として、該パスロスが所定閾値より低い場合、該ネットワーク機器はＯＦＤＭを該第２のターゲット波形として確定し、そうではない場合、該ネットワーク機器はＤＦＴ−ｓ−ＯＦＤＭを該第２のターゲット波形として確定してもよい。
【００４７】
第２の態様の上記可能な実施形態を結合し、第２の態様の第１１の可能な実施形態において、該方法は、該ネットワーク機器が、該端末機器が該第２のターゲット波形を用いてアップリンク伝送を行うように指示するための第４の指示情報を該端末機器に送信するステップをさらに含む。
【００４８】
一実施例として、該ネットワーク機器は、該第２のターゲット波形を確定した後、常に該端末機器に該第４の指示情報を送信できる。
【００４９】
一実施例として、該ネットワーク機器は、該第２のターゲット波形が予め設定された条件を満たし、たとえば、該第２のターゲット波形が該第１のターゲット波形と異なる場合にのみ、該端末機器に該第４の指示情報を送信してもよい。
【００５０】
本発明の実施例のある態様では、該第１の指示情報は少なくとも２つのビットを占める。
【００５１】
本発明の実施例のある態様では、該少なくとも２つの選択可能なアップリンク波形は、ＯＦＤＭとＤＦＴ−ｓ−ＯＦＤＭを含む。
【００５２】
第３の態様の実施例で提供される端末機器は、上記第１の態様または第１の態様のいずれかの可能な実施形態における方法を実行する。
【００５３】
具体的には、該端末機器は、上記第１の態様または第１の態様のいずれかの可能な実施形態における方法を実行するためのユニットを備える。
【００５４】
第４の態様の実施例で提供されるネットワーク機器は、上記第２の態様または第２の態様のいずれかの可能な実施形態における方法を実行する。
【００５５】
具体的には、該ネットワーク機器は、上記第２の態様または第２の態様のいずれかの可能な実施形態における方法を実行するためのユニットを備える。
【００５６】
第５の態様の実施例で提供される他の端末機器は、コマンドを記憶するメモリと、プロセッサとを備え、該プロセッサは、該メモリに記憶されたコマンドを実行し、且つ該メモリに記憶されたコマンドを実行すると、該実行により第１の態様または第１の態様のいずれかの可能な実施形態における方法を実行する。
【００５７】
第６の態様の実施例で提供される他のネットワーク機器は、コマンドを記憶するメモリと、プロセッサとを備え、該プロセッサは、該メモリに記憶されたコマンドを実行し、且つ該メモリに記憶されたコマンドを実行すると、該実行により第２の態様または第２の態様のいずれかの実施形態における方法を実行する。
【００５８】
第７の態様の実施例で提供されるコンピュータ可読媒体は、第１の態様または第１の態様のいずれかの実施形態における方法を実行するためのコマンドを含むコンピュータプログラムを記憶する。
【００５９】
第８の態様の実施例では提供されるコンピュータ可読媒体は、第２の態様または第２の態様のいずれかの実施形態における方法を実行するためのコマンドを含むコンピュータプログラムを記憶する。
【発明の効果】
【００６０】
上記技術案によれば、本発明の実施例による通信方法、端末機器およびネットワーク機器では、端末機器がネットワーク機器に自分の現在所在する位置領域を報告し、ネットワーク機器が該端末機器の現在所在する位置領域に基づいて、少なくとも２つの選択可能なアップリンク波形の中から該端末機器の第１のターゲット波形を確定することによって、様々なシナリオにおいてアップリンク伝送に採用される波形を確定することに適用でき、特に端末機器がＲＲＣ接続モードではない場合にも、端末機器のアップリンク伝送に採用される波形を確定することができ、たとえば、端末機器は最初にネットワーク機器にアクセスするか、または端末機器がアップリンクスケジューリングを要請し、それによってシステム性能を向上させる。
【図面の簡単な説明】
【００６１】
【図１】本発明の実施例に用いる無線通信システムの概要図である。
【図２】本発明の実施例による通信方法の模式的フローチャートである。
【図３】本発明の実施例による端末機器の模式的ブロック図である。
【図４】本発明の実施例によるネットワーク機器の模式的ブロック図である。
【図５】本発明の実施例による他の端末機器の模式的ブロック図である。
【図６】本発明の実施例による他のネットワーク機器の模式的ブロック図である。
【発明を実施するための形態】
【００６２】
以下、本発明の実施例における技術案について、本発明の実施例における図面を結合して説明する。
【００６３】
本発明の実施例の技術案は、たとえば、グローバル移動通信（「ＧＳＭ」）システム、符号分割多元接続（「ＣＤＭＡ」）システム、広帯域符号分割多元接続（「ＷＣＤＭＡ」）システム、汎用パケット無線サービス（「ＧＰＲＳ」）、ロングタームエボリューション（「ＬＴＥ」）システム、ＬＴＥ周波数分割複信（「ＦＤＤ」）システム、ＬＴＥ時分割複信（「ＴＤＤ」）、ユニバーサル移動通信システム（「ＵＭＴＳ」）、世界規模相互運用マイクロ波アクセス（「ＷｉＭＡＸ」）通信システム、または将来の５Ｇシステムなどの様々な通信システムに適用することができる。
【００６４】
図１は、本発明の実施例に用いる無線通信システム１００を示す。該無線通信システム１００は、ネットワーク機器１１０を含むことができる。ネットワーク機器１１０は、端末機器と通信する機器とすることができる。ネットワーク機器１１０は、特定の地理的エリアに通信カバレッジを提供し、該カバレッジエリア内に位置する端末機器（たとえば、ＵＥ）と通信可能である。一実施例として、該ネットワーク機器１１０は、ＧＳＭシステムまたはＣＤＭＡシステムの基地局（ＢＴＳ）であってもよく、ＷＣＤＭＡシステムの基地局（ＮｏｄｅＢ、ＮＢ）であってもよく、ＬＴＥシステムの進化型基地局（Ｅｖｏｌｕｔｉｏｎａｌ  Ｎｏｄｅ  Ｂ、ｅＮＢまたはｅＮｏｄｅＢ）であってもよく、またはクラウド無線アクセスネットワーク（ＣＲＡＮ）内の無線コントローラであってもよく、または該ネットワーク機器は、中継局、アクセスポイント、車載デバイス、ウェアラブルデバイス、将来の５Ｇネットワーク内のネットワーク側機器、または将来の進化型地上公共移動ネットワーク（ＰＬＭＮ）内のネットワーク機器などであってもよい。
【００６５】
該無線通信システム１００は、ネットワーク機器１１０のカバレッジ範囲内に位置する少なくとも１つの端末機器１２０をさらに含んでもよい。端末機器１２０は移動式であってもよく、または固定式であってもよい。一実施例として、端末機器１２０は、アクセス端末、ユーザ機器（ＵＥ）、ユーザユニット、ユーザ局、移動局、移動台、遠隔局、遠隔端末、移動機器、ユーザ端末、端末、無線通信機器、ユーザーエージェントまたはユーザ装置であってもよい。アクセス端末は、セルラーホン、コードレス電話、セッション開始プロトコル（ＳＩＰ）電話、ワイヤレスローカルループ（ＷＬＬ）ステーション、パーソナルデジタルアシスタント（ＰＤＡ）、無線通信機能を有するハンドヘルドデバイス、計算機器または無線モデムに接続されたほかの処理デバイス、車載デバイス、ウェアラブルデバイス、将来の５Ｇネットワーク内の端末機器または将来の進化型ＰＬＭＮ内の端末機器などであってもよい。
【００６６】
ネットワーク機器１１０と端末機器１２０の間にアップダウンリンク伝送が実施可能であり、該無線通信システム１００は、少なくとも２種の波形のアップリンク伝送をサポートでき、たとえば、該無線通信システム１００がサポートする波形は、直交周波数分割多重（ＯＦＤＭ）または離散フーリエ変換拡張ＯＦＤＭ（ＤＦＴ−ｓ−ＯＦＤＭ）を含んでもよく、または、ほかの波形を含んでもよく、本発明の実施例ではこれについて限定しない。具体的にはアップリンク伝送を行うとき、ネットワーク機器１１０は、サポートできる少なくとも２種の選択可能なアップリンク波形の中から現在のアップリンク伝送に採用される波形を確定できる。
【００６７】
図１では、１つのネットワーク機器と２つの端末機器を例示的に示しているが、一実施例として、該無線通信システム１００は、複数のネットワーク機器を含み、各ネットワーク機器のカバレッジ範囲内に他の数の端末機器を含んでもよい。本発明の実施例では、これについて限定しない。
【００６８】
一実施例として、該無線通信システム１００は、ネットワークコントローラ、モビリティ管理エンティティなどの他のネットワークエンティティを含むとしてもよい。本発明の実施例では、これについて限定しない。
【００６９】
なお、本明細書における用語「システム」および「ネットワーク」は、本明細書では交換可能に採用される。本明細書における用語「および／または」は関連対象の関連関係を説明するものに過ぎず、３種類の関係があることを示し、たとえば、Ａおよび／またはＢの場合は、Ａが単独で存在する場合と、ＡおよびＢの両方が同時に存在する場合と、Ｂが単独で存在する場合を示す。さらに、本明細書における符号「／」は、一般的に、前後の関連対象が「または」関係にあることを示す。
【００７０】
図２は、本発明の実施例による通信方法２００の図式的フローチャートである。該方法２００は図１に示される無線通信システム１００に適用できる。
【００７１】
Ｓ２１０では、端末機器が、該端末機器の現在所在する位置領域を指示するための第１の指示情報をネットワーク機器に送信する。
【００７２】
本発明の実施例では、端末機器の現在所在する位置領域は、端末機器が現在ネットワーク機器により管理されるセルに位置する位置領域を指すことができる。一実施例として、アップリンク伝送に採用される波形による送信パワーの効率への影響が大きいため、本発明の実施例における位置領域は端末機器に採用される送信パワーに関連付けられてもよいが、本発明の実施例にはこれに制限されない。
【００７３】
選択的な一実施例として、ネットワーク機器のカバレッジは、セル中心領域、セルエッジ領域およびセル中心領域とセルエッジ領域以外のほかの領域であるという３つの位置領域に分割することができ、該ほかの領域は、該セル中心領域とセルエッジ領域の間に位置してもよい。このとき、一実施例として、端末機器の現在所在する位置領域は、具体的には、セル中心領域、セルエッジ領域、またはセル中心領域とセルエッジ領域の間の領域である。
【００７４】
このとき、一実施例として、該第１の指示情報において２つのビットで該端末機器の現在所在する位置領域を指示できる。一例として、００は該端末機器の現在位置がセル中心領域であることを、１１は該端末機器の現在位置がセルエッジ領域であることを、０１は該端末機器の現在位置がセル中心領域とセルエッジ領域の間であることを、１０は保留状態を示し、なお、本発明の実施例では、ビットと位置領域の間の対応関係について限定しない。一実施例として、ほかの数のビットで端末機器の現在所在する位置領域を指示してもよく、本発明の実施例では、これについて限定しない。
【００７５】
もう1つの選択可能な一実施例として、ネットワーク機器のカバレッジは、２つの位置領域、たとえば、セルエッジ領域とセルエッジ領域以外のほかの領域、またはセル中心領域とセル中心領域以外のほかの領域に分割することができる。または、ネットワーク機器のカバレッジはほかの数の位置領域に分割してもよく、本発明の実施例では、これについて限定しない。
【００７６】
本発明の実施例では、端末機器は、自分の現在所在する位置領域を確定し、且つネットワーク機器に自分の現在所在する位置領域を報告することができる。具体的には、端末機器は、複数種の方式で自分の現在所在する位置領域を確定できる。たとえば、端末機器は、ネットワーク機器から送信したダウンリンク基準信号を測定して、測定結果に基づいて、自分の現在所在する位置領域を確定できる。一例として、該測定結果は、パスロス、基準信号受信パワー（ＲＳＲＰ）および基準信号受信品質（ＲＳＲＱ）のうちの少なくとも１種を含んでもよく、または該測定結果は、ほかのパラメータを含んでもよく、本発明の実施例では、これについて限定しない。
【００７７】
該測定結果がパスロスを含む場合を例にすれば、該端末機器は、測定したパスロスに基づいて、現在所在する位置領域を確定できる。一実施例として、該パスロスが第１の閾値条件を満たし、たとえば、該パスロスが第１の閾値より低い場合、該端末機器は、現在位置をセル中心領域として確定し、該パスロスが第２の閾値条件を満たし、たとえば、該パスロスが該第１の閾値より大きい第２の閾値より高い場合、該端末機器は、現在位置をセルエッジ領域として確定し、該パスロスが該第１の閾値と該第２の閾値の間にある場合、該端末機器は、現在位置をセル中心領域とセルエッジ領域の間として確定できる。一実施例として、該第１の閾値条件および該第２の閾値条件は、プロトコルにより定義されてもよく、または、ネットワーク機器が端末機器に第３の指示情報を送信することにより指示されてもよく、該第３の指示情報は、ＵＥ固有シグナリングに含まれてもよく、ブロードキャストメッセージに含まれてもよく、本発明の実施例では、これについて限定しない。
【００７８】
本発明の実施例では、該端末機器は、現在所在する位置領域を確定した後、常に該ネットワーク機器に自分の現在所在する位置領域を報告してもよく、特定の場合にのみ、ネットワーク機器に自分の現在所在する位置領域を報告してもよい。たとえば、該端末機器は、現在位置をセル中心領域として確定する場合にのみ、該ネットワーク機器に現在所在する位置領域を報告し、また、たとえば、該端末機器は、前回ネットワーク機器に報告した位置領域の情報を記憶し、且つ確定された現在所在する位置領域が前回報告した位置領域と異なる場合にのみ、該ネットワーク機器に現在所在する位置領域を報告してもよい。一実施例として、該端末機器がネットワーク機器に自分の現在所在する位置領域を報告することのトリガー条件は、プロトコルにより定義されてもよく、ネットワーク機器により予め設定されてもよく、たとえば、ブロードキャストメッセージにおいて設置され、本発明の実施例では、これについて限定しない。
【００７９】
本発明の実施例では、端末機器は、能動的にネットワーク機器に第１の指示情報を送信してもよい。たとえば、端末機器は、アップリンクデータの送信を必要とするとき、または最初に該ネットワーク機器にアクセスするときに、ネットワーク機器に第１の指示情報を送信してもよい。または、端末機器は、ネットワーク機器に自分の現在所在する位置領域を周期的に報告してもよく、本発明の実施例では、これについて限定しない。一実施例として、該端末機器は、ネットワーク機器による指示を受信すると、ネットワーク機器に該第１の指示情報を送信してもよく、本発明の実施例はそれに制限されない。
【００８０】
1つの選択可能な実施例として、端末機器は、該ネットワーク機器にランダムにアクセスする過程において、該ネットワーク機器に該第１の指示情報を送信してもよい。たとえば、該端末機器は、ネットワーク機器に送信されるランダムアクセス要請に該第１の指示情報を含ませてもよい。
【００８１】
一例として、端末機器は、ランダムアクセス要請におけるプリアンブルの後に情報ビットを添付する方式で自分の現在所在する位置領域を報告してもよい。このとき、該ランダムアクセス要請はプリアンブルおよび該第１の指示情報を含み、該第１の指示情報が占めるビットは該プリアンブルの直後にある。一実施例として、該第１の指示情報は該プリアンブルのほかの位置に位置してもよく、本発明の実施例では、プリアンブルと該第１の指示情報の間の位置関係について限定しない。
【００８２】
もう1つの例として、端末機器は、ランダムアクセス要請に異なるプリアンブルを持たせることにより、自分の現在所在する位置領域を指示してもよく、このような場合、該ランダムアクセス要請が第１の指示情報を持つことは、具体的には、該ランダムアクセス要請が該端末機器の現在所在する位置領域に対応するプリアンブルを持つことである。プリアンブルまたはプリアンブルセットと位置領域の間の対応関係は、プロトコルにより定義されてもよく、または、ネットワーク機器により予め設定されてもよく、本発明の実施例では、これについて限定しない。このとき、該端末機器は、複数の選択可能なプリアンブルの中から自分の現在所在する位置領域に対応するプリアンブルを確定し、該ネットワーク機器に該プリアンブルを送信し、それに対応して、該ネットワーク機器は、受信したプリアンブルおよびプリアンブルまたはプリアンブルセットと位置領域の間の対応関係に基づいて、該端末機器の現在所在する位置領域を確定してもよいが、本発明の実施例にはそれに制限されない。
【００８３】
もう1つの選択可能な実施例として、端末機器は、アップリンクスケジューリングを要請する過程においてネットワーク機器に自分の現在所在する位置領域を報告してもよい。たとえば、該端末機器は、該第１の指示情報を持つスケジューリング要請をネットワーク機器に送信してもよい。選択可能な一実施例として、現在１つのみのビットを有するスケジューリング要請を拡張し、たとえばスケジューリング要請を２つ以上のビットに拡張することができ、該スケジューリング要請における一部または全部のビットは該第１の指示情報を担持することに用いられてもよく、本発明の実施例はそれに制限されない。
【００８４】
Ｓ２２０では、ネットワーク機器が、該端末機器の現在所在する位置領域に基づいて、少なくとも２つの選択可能なアップリンク波形の中から第１のターゲット波形を確定する。
【００８５】
もう1つ選択可能な実施例として、該少なくとも２つの選択可能なアップリンク波形は、ＯＦＤＭとＤＦＴ−ｓ−ＯＦＤＭを含んでもよく、または、ほかのタイプの波形を含んでもよく、本発明の実施例では、これについて限定しない。
【００８６】
一例として、該端末機器の現在位置がセル中心領域である場合、該ネットワーク機器は、ＯＦＤＭを該第１のターゲット波形として確定できる。一実施例として、該端末機器の現在位置がセルエッジ領域である場合、該ネットワーク機器は、ＤＦＴ−ｓ−ＯＦＤＭを該第１のターゲット波形として確定できる。一実施例として、該端末機器の現在所在する位置領域がセルエッジ領域とセル中心領域の間に位置する場合、該ネットワーク機器は、ＯＦＤＭまたはＤＦＴ−ｓ−ＯＦＤＭを該第１のターゲット波形として確定し、または該端末機器のほかの情報を結合しながら、該少なくとも２つの選択可能なアップリンク波形の中から該第１のターゲット波形を確定し、たとえば、該端末機器から送信したアップリンク基準信号に対する測定結果を結合して、該第１のターゲット波形を確定してもよく、本発明の実施例では、これについて限定しない。
【００８７】
Ｓ２３０では、ネットワーク機器が、該第１のターゲット波形を指示するための第２の指示情報を端末機器に送信する。
【００８８】
一実施例として、該ネットワーク機器が該第１の指示情報を持つランダムアクセス要請を受信する場合、Ｓ２３０では、該ネットワーク機器は、該第２の指示情報を持つランダムアクセスレスポンスを該端末機器に送信してもよく、本発明の実施例はそれに制限されない。
【００８９】
一実施例として、該ネットワーク機器が該第１の指示情報を持つスケジューリング要請を受信する場合、Ｓ２３０では、該ネットワーク機器は、該第２の指示情報を持つアップリンクグラント（ＵＬ  ｇｒａｎｔ）を該端末機器に送信してもよく、本発明の実施例はそれに制限されない。
【００９０】
もう1つの選択可能な実施例として、該第１の指示情報により該端末機器の現在所在する位置領域がセル中心領域とセルエッジ領域の間にあると指示する場合、該第２の指示情報はさらに、該端末機器が該ネットワーク機器にアップリンク基準信号を送信するように指示するが、本発明の実施例はそれに制限されない。
【００９１】
Ｓ２４０では、端末機器が、第１のターゲット波形を用いてアップリンク伝送を行う。
【００９２】
一実施例として、該第２の指示情報がさらに、該端末機器がアップリンク基準信号を送信するように指示する場合、Ｓ２４０では、該端末機器は、該第１のターゲット波形を用いて該ネットワーク機器にアップリンク基準信号、たとえばサウンディング基準信号（Ｓｏｕｎｄｉｎｇ  Ｒｅｆｅｒｅｎｃｅ  Ｓｉｇｎａｌ、ＳＲＳ）を送信できる。それに対応して、該ネットワーク機器は、該端末機器から送信したアップリンク基準信号を測定して、測定結果に基づいて該少なくとも２つの選択可能なアップリンク波形の中から第２のターゲット波形を確定し、なお、該第２のターゲット波形は該第１のターゲット波形と同一であってもよく、または異なってもよい。
【００９３】
選択可能な一例として、該ネットワーク機器による測定結果はパスロスを含み、且つ該ネットワーク機器は以下の方式で第２のターゲット波形を確定できる。該パスロスが所定閾値より低い場合、該ネットワーク機器は、ＯＦＤＭを該第２のターゲット波形として確定し、そうではない場合、該ネットワーク機器は、ＤＦＴ−ｓ−ＯＦＤＭを該第２のターゲット波形として確定する。一実施例として、該ネットワーク機器による測定結果はほかのパラメータを含んでもよく、本発明の実施例では、ネットワーク機器が測定結果に基づいて第２のターゲット波形を確定する方式について、限定しない。
【００９４】
一実施例として、該第２のターゲット波形を定めた後、該ネットワーク機器は、該第２のターゲット波形を指示するための第４の指示情報を該端末機器に送信してもよい。それに対応して、該端末機器は、該ネットワーク機器から送信した第４の指示情報を受信して、該第２のターゲット波形を用いてアップリンク伝送を行う。
【００９５】
本発明の実施例では、該ネットワーク機器は、該第２のターゲット波形と該第１のターゲット波形が同一であるか否かを問わず、該端末機器に該第４の指示情報を送信してもよい。このとき、該端末機器は、受信した第４の指示情報に基づいて、該第２のターゲット波形を確定する。
【００９６】
他の選択可能な一実施例として、該ネットワーク機器は、該第２のターゲット波形と該第１のターゲット波形が異なる場合にのみ、該端末機器に該第４の指示情報を送信してもよい。このとき、該端末機器は、該第４の指示情報を受信する場合、該第４の指示情報により指示される第２のターゲット波形を用いてアップリンク伝送を行い、該第４の指示情報を受信しない場合は、該第１のターゲット波形を用いてアップリンク伝送を行う。このとき、一実施例として、該端末機器は、該第２の指示情報を受信するとき、またはネットワーク機器にアップリンク基準信号を送信するときに、タイマーを起動させ、タイマーがタイムアウトになっても該第４の指示情報を受信しないと、該第１のターゲット波形を用いてアップリンク伝送を行い、該タイマーはプロトコルにより規定されてもよく、またはネットワーク機器により設定されてもよく、たとえば、該ネットワーク機器により第２の指示情報において指示されるが、本発明の実施例はそれに制限されない。
【００９７】
従来技術では、ネットワーク機器がアップリンク伝送に採用される波形を確定するのに、端末機器から送信したアップリンク基準信号を測定することが必要である。しかし、端末機器が最初にネットワーク機器にアクセスしまたはネットワーク機器にアップリンクスケジューリング（ｓｃｈｅｄｕｌｉｎｇ  ｒｅｑｕｅｓｔ）を要請するとき、ネットワーク機器は、アップリンク基準信号を測定してアップリンク伝送に採用される波形を確定することができない。本発明の実施例による通信方法では、端末機器がネットワーク機器に自分の現在所在する位置領域を報告し、ネットワーク機器が該端末機器の現在所在する位置領域に基づいて、少なくとも２つの選択可能なアップリンク波形の中から該端末機器の第１のターゲット波形を確定することによって、各種シナリオにおいてアップリンク伝送に採用される波形を確定することに適用でき、特に端末機器がＲＲＣ接続モードではない場合にも、端末機器のアップリンク伝送に採用される波形を確定でき、たとえば、端末機器は最初にネットワーク機器にアクセスするか、または端末機器はアップリンクスケジューリングを要請し、それによってシステム性能を向上させる。
【００９８】
なお、上記各過程の番号の大きさは、実行順序的先後を意味するものではなく、各過程の実行順序は、その機能および内部ロジックによって確定され、本発明の実施例の実施過程を限定するものと解釈されるべきではない。
【００９９】
図３は、本発明の実施例による端末機器３００を図式的に示している。該端末機器３００は、
該端末機器３００の現在所在する位置領域を指示するための第１の指示情報をネットワーク機器に送信する送信ユニット３１０と、
該ネットワーク機器から送信した、該ネットワーク機器が送信ユニット３１０を通じて送信した第１の指示情報に基づいて少なくとも２つの選択可能なアップリンク波形の中から決定する第１のターゲット波形を指示するための第２の指示情報を受信する受信ユニット３２０とを備える。
【０１００】
該送信ユニット３１０はさらに、該受信ユニット３２０が受信した該第２の指示情報により指示される該第１のターゲット波形を用いてアップリンク伝送を行う。
【０１０１】
一実施例として、該端末機器３００の現在所在する位置領域は、セル中心領域、セルエッジ領域、またはセル中心領域とセルエッジ領域の間に位置する領域を含むとしてもよい。
【０１０２】
一実施例として、該送信ユニット３１０は、具体的には、該第１の指示情報を持つランダムアクセス要請をネットワーク機器に送信するとしてもよい。
【０１０３】
このとき、一実施例として、該受信ユニット３２０は、具体的には、ネットワーク機器から送信した、該第２の指示情報を持つランダムアクセスレスポンスを受信するとしてもよい。
【０１０４】
一実施例として、該ランダムアクセス要請はプリアンブルをさらに含み、該第１の指示情報が占めるビットは該プリアンブルの直後にある。
【０１０５】
一実施例として、該端末機器３００はさらに、該送信ユニット３１０がネットワーク機器に第１の指示情報を送信する前、位置領域とプリアンブルの間の対応関係に基づいて、少なくとも２つのプリアンブルの中から該端末機器３００の現在所在する位置領域に対応するプリアンブルを確定する第１の確定ユニットを備えるとしてもよい。
【０１０６】
このとき、該ランダムアクセス要請が該第１の指示情報を持つことは、該ランダムアクセス要請が該確定ユニットにより確定されたプリアンブルを持つ場合を含む。
【０１０７】
一実施例として、該送信ユニット３１０は、具体的には、該第１の指示情報を持つスケジューリング要請をネットワーク機器に送信するとしてもよい。
【０１０８】
このとき、一実施例として、該受信ユニット３２０は、具体的には、ネットワーク機器から送信した、該第２の指示情報を持つアップリンクグラントを受信するとしてもよい。
【０１０９】
一実施例として、該端末機器３００はさらに、
該送信ユニット３１０がネットワーク機器に第１の指示情報を送信する前、該ネットワーク機器から送信したダウンリンク基準信号を測定する測定ユニットと、
該測定ユニットによる測定結果に基づいて、該端末機器３００の現在所在する位置領域を確定する第２の確定ユニットとを備える。
【０１１０】
一実施例として、該第２の確定ユニットは、具体的には、該測定ユニットによる測定結果を少なくとも２つの閾値条件と比較することにより、該端末機器３００の現在所在する位置領域を確定するとしてもよい。
【０１１１】
一実施例として、該受信ユニット３２０はさらに、該第２の確定ユニットが該測定ユニットによる測定結果に基づいて、該端末機器３００の現在所在する位置領域を確定する前、該ネットワーク機器から送信した、該少なくとも２つの閾値条件を指示するための第３の指示情報を受信するとしてもよい。
【０１１２】
一実施例として、該受信ユニット３２０は、具体的には、該ネットワーク機器から送信した、該第３の指示情報を持つブロードキャストメッセージを受信するとしてもよい。
【０１１３】
一実施例として、該第１の指示情報により該端末機器３００の現在位置がセルエッジ領域とセル中心領域の間であると指示すると、該第２の指示情報はさらに、該端末機器３００が該ネットワーク機器にアップリンク基準信号を送信するように指示し、
それに対応して、該送信ユニット３１０は、具体的には、該第２の指示情報に基づいて、該第１のターゲット波形を用いて、該ネットワーク機器にアップリンク基準信号を送信する。としてもよい
【０１１４】
一実施例として、該受信ユニット３２０はさらに、該ネットワーク機器から送信した、該ネットワーク機器が該アップリンク基準信号に基づいて該少なくとも２つの選択可能なアップリンク波形の中から決定した第２のターゲット波形を指示するための第４の指示情報を受信し、
それに対応して、該送信ユニット３１０はさらに、該受信ユニット３２０が受信した第４の指示情報により指示される該第２のターゲット波形を用いて、アップリンク伝送を行う。としてもよい
【０１１５】
一実施例として、該第１の指示情報は少なくとも２つのビットを占めるとしてもよい。
【０１１６】
一実施例として、該少なくとも２つの選択可能なアップリンク波形は、ＯＦＤＭとＤＦＴ−ｓ−ＯＦＤＭを含むとしてもよい。
【０１１７】
なお、ここでの端末機器３００は、機能ユニットの形態で具体化されている。本明細書における「ユニット」という用語は、特定用途向け集積回路（ＡＳＩＣ）、電子回路、１つまたはそれ以上のソフトウェアまたはファームウェアプログラムを実行するプロセッサ（たとえば、共有プロセッサ、専用プロセッサ、またはグループプロセッサなど）およびメモリ、マージロジック回路および／または記載された機能をサポートする他の適切なコンポーネントを指す。選択可能な一例において、当業者が理解できるように、端末機器３００は具体的には、上述した方法実施例における端末機器であってもよく、端末機器３００は、上記方法実施例において端末機器に対応する様々な流れおよび／またはステップを実行するために採用されてもよく、説明の重複を避けるように、ここで詳細については省略する。
【０１１８】
図４は、本発明の実施例によるネットワーク機器４００を図式的に示している。該ネットワーク機器４００は、
端末機器から送信した、該端末機器の現在所在する位置領域を指示するための第１の指示情報を受信する受信ユニット４１０と、
該受信ユニット４１０が受信した該第１の指示情報により指示される位置領域に基づいて、少なくとも２つの選択可能なアップリンク波形の中から第１のターゲット波形を確定する処理ユニット４２０と、
該端末機器が該処理ユニット４２０により確定された第１のターゲット波形を用いてアップリンク伝送を行うように指示するための第２の指示情報を該端末機器に送信する送信ユニット４３０とを備える。
【０１１９】
一実施例として、該端末機器の現在所在する位置領域は、セル中心領域、セルエッジ領域、またはセル中心領域とセルエッジ領域の間に位置する領域を含むとしてもよい。
【０１２０】
一実施例として、該受信ユニット４１０は、具体的には、端末機器から送信した、該第１の指示情報を持つランダムアクセス要請を受信するとしてもよい。
【０１２１】
このとき、一実施例として、該送信ユニット４３０は、具体的には、該第２の指示ランダムアクセスレスポンスを端末機器に送信するとしてもよい。
【０１２２】
一実施例として、該ランダムアクセス要請はプリアンブルをさらに含み、該第１の指示情報が占めるビットは該プリアンブルの直後にある。
【０１２３】
一実施例として、該ランダムアクセス要請が該第１の指示情報を持つことは、該ランダムアクセス要請が該端末機器の現在所在する位置領域に対応するプリアンブルを持つ場合を含むとしてもよい。
【０１２４】
一実施例として、該受信ユニット４１０は、具体的には、端末機器から送信した、該第１の指示情報を持つスケジューリング要請を受信するとしてもよい。
【０１２５】
このとき、一実施例として、該送信ユニット４３０は、具体的には、該第２の指示情報を持つアップリンクグラントを端末機器に送信してもよい。
【０１２６】
一実施例として、該送信ユニット４３０はさらに、該受信ユニット４１０が端末機器から送信した第１の指示情報を受信する前、該端末機器が現在所在する位置領域を確定するためのダウンリンク基準信号を該端末機器に送信するとしてもよい。
【０１２７】
一実施例として、該送信ユニット４３０はさらに、該受信ユニット４１０が端末機器から送信した第１の指示情報を受信する前、該端末機器が該ダウンリンク基準信号の測定結果に基づいて現在所在する位置領域を確定するための少なくとも２つの閾値条件を指示するための第３の指示情報を該端末機器に送信するとしてもよい。
【０１２８】
一実施例として、該送信ユニット４３０は、具体的には、該第３の指示情報を持つブロードキャストメッセージを該端末機器に送信するとしてもよい。
【０１２９】
一実施例として、該処理ユニット４２０は、具体的には、該第１の指示情報により該端末機器の現在位置がセルエッジ領域とセル中心領域の間であると指示すると、該少なくとも２つの選択可能なアップリンク波形のうちのＤＦＴ−ｓ−ＯＦＤＭを該第１のターゲット波形として確定するとしてもよい。
【０１３０】
一実施例として、該第１の指示情報により該端末機器の現在位置がセルエッジ領域とセル中心領域の間であると指示すると、該第２の指示情報はさらに、該端末機器が該ネットワーク機器にアップリンク基準信号を送信するように指示する。
【０１３１】
このとき、一実施例として、該受信ユニット４１０はさらに、該端末機器が該第１のターゲット波形を用いて送信したアップリンク基準信号を受信し、
それに対応して、該処理ユニット４２０はさらに、該受信ユニット４１０が受信したアップリンク基準信号に基づいて、該少なくとも２つの選択可能なアップリンク波形の中から第２のターゲット波形を確定するとしてもよい。
【０１３２】
具体的には、該処理ユニット４２０は、受信したアップリンク基準信号を測定して、測定結果に基づいて、該少なくとも２つの選択可能なアップリンク波形の中から第２のターゲット波形を確定してもよい。
【０１３３】
選択可能な一例として、該測定結果はパスロスを含んでもよい。このとき、一実施例として、該処理ユニット４２０は、具体的には、
該パスロスが所定閾値より低い場合、該少なくとも２つの選択可能なアップリンク波形のうちのＯＦＤＭを該第２のターゲット波形として確定し、
そうではない場合、該少なくとも２つの選択可能なアップリンク波形のうちのＤＦＴ−ｓ−ＯＦＤＭを該第２のターゲット波形として確定する。
【０１３４】
一実施例として、該送信ユニット４３０はさらに、該端末機器が該第２のターゲット波形を用いてアップリンク伝送を行うように指示するための第４の指示情報を該端末機器に送信するとしてもよい。
【０１３５】
一実施例として、該第１の指示情報は少なくとも２つのビットを占めるとしてもよい。
【０１３６】
一実施例として、該少なくとも２つの選択可能なアップリンク波形は、ＯＦＤＭとＤＦＴ−ｓ−ＯＦＤＭを含んでとよい。
【０１３７】
なお、ここでのネットワーク機器４００は、機能ユニットの形態で具体化されている。本明細書における「ユニット」という用語は、特定集積回路（ＡＳＩＣ）、電子回路、１つ以上のソフトウェアまたはファームウェアプログラムを実行するプロセッサ（たとえば、共有プロセッサ、専用プロセッサ、またはグループプロセッサなど）およびメモリ、マージロジック回路および／または説明された機能をサポートする他の適切なコンポーネントを適用することを意味できる。選択可能な一例において、当業者が理解できるように、ネットワーク機器４００は具体的には、上述した方法実施例におけるネットワーク機器であってもよく、ネットワーク機器４００は、上記方法実施例においてネットワーク機器に対応する様々なフローおよび／またはステップを実行するために採用されてもよく、説明の重複を避けるように、ここで詳細については省略する。
【０１３８】
図５は、本発明の実施例による端末機器５００を図式的に示している。該端末機器５００は、
ネットワーク機器に、該端末機器５００の現在所在する位置領域を指示するための第１の指示情報を送信する送信機５１０と、
該ネットワーク機器から送信した、該ネットワーク機器が送信機５１０から送信した第１の指示情報に基づいて少なくとも２つの選択可能なアップリンク波形の中から定めた第１のターゲット波形を指示するための第２の指示情報を受信する受信機５２０とを備える。
【０１３９】
該送信機５１０はさらに、該受信機５２０が受信した該第２の指示情報により指示される該第１のターゲット波形を用いてアップリンク伝送を行う。
【０１４０】
一実施例として、該端末機器５００の現在所在する位置領域は、セル中心領域、セルエッジ領域、またはセル中心領域とセルエッジ領域の間に位置する領域を含むとしてもよい。
【０１４１】
一実施例として、該送信機５１０は、具体的には、該第１の指示情報を持つランダムアクセス要請をネットワーク機器に送信するとしてもよい。
【０１４２】
このとき、一実施例として、該受信機５２０は、具体的には、ネットワーク機器から送信した、該第２の指示情報を持つランダムアクセスレスポンスを受信するとしてもよい。
【０１４３】
一実施例として、該ランダムアクセス要請はプリアンブルをさらに含み、該第１の指示情報が占めるビットは該プリアンブルの直後にある。
【０１４４】
一実施例として、該端末機器５００はさらに、該送信機５１０がネットワーク機器に第１の指示情報を送信する前、位置領域とプリアンブルの間の対応関係に基づいて、少なくとも２つのプリアンブルの中から該端末機器５００の現在所在する位置領域に対応するプリアンブルを確定するプロセッサを備えるとしてもよい。
【０１４５】
このとき、該ランダムアクセス要請が該第１の指示情報を持つことは、該ランダムアクセス要請が該プロセッサにより確定されたプリアンブルを含む場合を含む。
【０１４６】
一実施例として、該送信機５１０は、具体的には、該第１の指示情報を持つスケジューリング要請をネットワーク機器に送信するとしてもよい。
【０１４７】
このとき、一実施例として、該受信機５２０は、具体的には、ネットワーク機器から送信した、該第２の指示情報を持つアップリンクグラントを受信するとしてもよい。
【０１４８】
一実施例として、該端末機器５００はさらに、該送信機５１０がネットワーク機器に第１の指示情報を送信する前、該ネットワーク機器から送信したダウンリンク基準信号を測定して、測定結果に基づいて、該端末機器５００の現在所在する位置領域を確定するプロセッサを備えるとしてもよい。
【０１４９】
一実施例として、該プロセッサは、具体的には、測定結果を少なくとも２つの閾値条件と比較することにより、該端末機器５００の現在所在する位置領域を確定するとしてもよい。
【０１５０】
一実施例として、該受信機５２０はさらに、測定結果に基づいて、該端末機器５００の現在所在する位置領域を確定する前、該ネットワーク機器から送信した、該少なくとも２つの閾値条件を指示するための第３の指示情報を受信するとしてもよい。
【０１５１】
一実施例として、該受信機５２０は、具体的には、該ネットワーク機器から送信した、該第３の指示情報を持つブロードキャストメッセージを受信する。
【０１５２】
一実施例として、該第１の指示情報により該端末機器５００の現在位置がセルエッジ領域とセル中心領域の間であると指示すると、該第２の指示情報はさらに、該端末機器５００が該ネットワーク機器にアップリンク基準信号を送信するように指示し、
それに対応して、該送信機５１０は、具体的には、該第２の指示情報に基づいて、該第１のターゲット波形を用いて該ネットワーク機器にアップリンク基準信号を送信するとしてもよい。
【０１５３】
一実施例として、該受信機５２０はさらに、該ネットワーク機器から送信した、該ネットワーク機器が該アップリンク基準信号に基づいて該少なくとも２つの選択可能なアップリンク波形の中から決定する第２のターゲット波形を指示するための第４の指示情報を受信し、
それに対応して、該送信機５１０はさらに、該受信機５２０が受信した第４の指示情報により指示される該第２のターゲット波形を用いて、アップリンク伝送を行うとしてもよい。
【０１５４】
一実施例として、該第１の指示情報は少なくとも２つのビットを占めるとしてもよい。
【０１５５】
一実施例として、該少なくとも２つの選択可能なアップリンク波形は、ＯＦＤＭとＤＦＴ−ｓ−ＯＦＤＭを含むとしてもよい。
【０１５６】
なお、ここでの端末機器５００は、具体的には上記実施例における端末機器であってもよく、且つ上記方法実施例において端末機器に対応する各ステップおよび／またはフローを実行できる。
【０１５７】
一実施例として、端末機器５００はさらに、読み出し専用メモリおよびランダムアクセスメモリを含むメモリを含み、命令およびデータをプロセッサに提供してもよい。メモリの一部はまた、不揮発性ランダムアクセスメモリを含むことができる。たとえば、メモリは、機器タイプの情報を記憶することもできる。該プロセッサは、メモリに記憶された命令を実行するために採用され、該プロセッサは該命令を実行すると、上記方法実施例において端末機器に対応する各ステップを実行することができる。
【０１５８】
図６は、本発明の実施例によるネットワーク機器６００を図式的に示している。該ネットワーク機器６００は、
端末機器から送信した、該端末機器の現在所在する位置領域を指示するための第１の指示情報を受信する受信機６１０と、
該受信機６１０が受信した該第１の指示情報により指示される位置領域に基づいて、少なくとも２つの選択可能なアップリンク波形の中から第１のターゲット波形を確定するプロセッサ６２０と、
該端末機器が該プロセッサ６２０により確定された第１のターゲット波形を用いてアップリンク伝送を行うように指示するための第２の指示情報を該端末機器に送信する送信機６３０とを備える。
【０１５９】
一実施例として、該端末機器の現在所在する位置領域は、セル中心領域、セルエッジ領域、またはセル中心領域とセルエッジ領域の間に位置する領域を含むとしてもよい。
【０１６０】
一実施例として、該受信機６１０は、具体的には、端末機器から送信した、該第１の指示情報を持つランダムアクセス要請を受信するとしてもよい。
【０１６１】
このとき、一実施例として、該送信機６３０は、詳しくは、該第２の指示情報を持つランダムアクセスレスポンスを端末機器に送信するとしてもよい。
【０１６２】
一実施例として、該ランダムアクセス要請はプリアンブルをさらに含み、該第１の指示情報が占めるビットは該プリアンブルの直後にある。
【０１６３】
一実施例として、該ランダムアクセス要請が該第１の指示情報を持つことは、該ランダムアクセス要請が該端末機器の現在所在する位置領域に対応するプリアンブルを持つ場合を含むとしてもよい。
【０１６４】
一実施例として、該受信機６１０は、具体的には、端末機器から送信した、該第１の指示情報を持つスケジューリング要請を受信するとしてもよい。
【０１６５】
このとき、一実施例として、該送信機６３０は、具体的には、該第２の指示情報を持つアップリンクグラントを端末機器に送信するとしてもよい。
【０１６６】
一実施例として、該送信機６３０はさらに、該受信機６１０が端末機器から送信した第１の指示情報を受信する前、該端末機器が現在所在する位置領域を確定するためのダウンリンク基準信号を該端末機器に送信するとしてもよい。
【０１６７】
一実施例として、該送信機６３０はさらに、該受信機６１０が端末機器から送信した第１の指示情報を受信する前、該端末機器が該ダウンリンク基準信号の測定結果に基づいて現在所在する位置領域を確定するための少なくとも２つの閾値条件を指示するための第３の指示情報を該端末機器に送信するとしてもよい。
【０１６８】
一実施例として、該送信機６３０は、具体的には、該第３の指示情報を持つブロードキャストメッセージを該端末機器に送信するとしてもよい。
【０１６９】
一実施例として、該プロセッサ６２０は、具体的には、該第１の指示情報により該端末機器の現在位置がセルエッジ領域とセル中心領域の間であると指示すると、該少なくとも２つの選択可能なアップリンク波形のうちのＤＦＴ−ｓ−ＯＦＤＭを該第１のターゲット波形として確定するとしてもよい。
【０１７０】
一実施例として、該第１の指示情報により該端末機器の現在位置がセルエッジ領域とセル中心領域の間であると指示すると、該第２の指示情報はさらに、該端末機器が該ネットワーク機器にアップリンク基準信号を送信するように指示するとしてもよい。
【０１７１】
このとき、一実施例として、該受信機６１０はさらに、該端末機器が該第１のターゲット波形を用いて送信したアップリンク基準信号を受信し、
それに対応して、該プロセッサ６２０はさらに、該受信機６１０が受信したアップリンク基準信号に基づいて、該少なくとも２つの選択可能なアップリンク波形の中から第２のターゲット波形を確定するとしてもよい。
【０１７２】
具体的には、該プロセッサ６２０は、受信したアップリンク基準信号を測定して、測定結果に基づいて、該少なくとも２つの選択可能なアップリンク波形の中から第２のターゲット波形を確定してもよい。
【０１７３】
選択可能な一例として、該測定結果はパスロスを含んでもよい。このとき、一実施例として、該プロセッサ６２０は、具体的には、該パスロスが所定閾値より低い場合、該少なくとも２つの選択可能なアップリンク波形のうちのＯＦＤＭを該第２のターゲット波形として確定し、そうではない場合、該少なくとも２つの選択可能なアップリンク波形のうちのＤＦＴ−ｓ−ＯＦＤＭを該第２のターゲット波形として確定する。
【０１７４】
一実施例として、該送信機６３０はさらに、該端末機器が該第２のターゲット波形を用いてアップリンク伝送を行うように指示するための第４の指示情報を該端末機器に送信するとしてもよい。
【０１７５】
一実施例として、該第１の指示情報は少なくとも２つのビットを占めるとしてもよい。
【０１７６】
一実施例として、該少なくとも２つの選択可能なアップリンク波形は、ＯＦＤＭとＤＦＴ−ｓ−ＯＦＤＭを含むとしてもよい。
【０１７７】
なお、ここでのネットワーク機器６００は、具体的には上記実施例におけるネットワーク機器であってもよく、且つ上記方法実施例においてネットワーク機器に対応する各ステップおよび／またはフローを実行できる。
【０１７８】
一実施例として、ネットワーク機器６００はさらに、読み出し専用メモリおよびランダムアクセスメモリを含むメモリを含み、命令およびデータをプロセッサに提供してもよい。メモリの一部はまた、不揮発性ランダムアクセスメモリを含むことができる。たとえば、メモリは、機器タイプの情報も記憶することができる。該プロセッサは、メモリに記憶された命令を実行するために採用され、該プロセッサは該命令を実行すると、上記方法実施例においてネットワーク機器に対応する各ステップを実行することができる。
【０１７９】
当業者であれば、本明細書に開示された実施例を結合しながら説明された様々な方法のステップおよびユニットを、電子ハードウェア、コンピュータソフトウェア、またはその両方の組み合わせで実施することができ、ハードウェアおよびソフトウェアの互換性を明確に説明するために、上記の説明では、機能に応じて、各実施例のステップおよび構成について一般的に説明されている。これらの機能がハードウェアで実行されるかソフトウェアで実行されるかは、技術案の特定の用途および設計上の制約条件によって決まる。当業者であれば、特定の用途ごとに異なる方法で説明された機能を実現することができるが、そのような実現は、本出願の範囲に含まれる。
【０１８０】
当業者にとって明らかなように、説明の利便さおよび簡素化のため、前述のシステム、装置、およびユニットの具体的な作動過程は前記方法実施例での対応する過程を結合すればよく、ここでは詳細な説明を省略する。
【０１８１】
なお、本願によって提供されるいくつかの実施例では、披露されたシステム、装置および方法は、他の方法で実施され得る。たとえば、以上で説明された装置の実施例は単なる例示に過ぎず、たとえば、前記ユニットの分割は、論理的な機能分割に過ぎず、実際に実現されるとき、複数のユニットや構成を組み合わせたり、他のシステムに統合されたり、一部の機能を無視したり実行しなかったりするような、ほかの分割方式を用いてもよい。また、図示または説明した相互結合、直接結合または通信接続は、あるインタフェース、装置またはユニットを介する間接的結合または通信接続であってもよく、電気的、機械的または他の形態の接続であってもよい。
【０１８２】
前記個別部材として説明されたユニットは、物理的に分離するものでもよくまたは物理的に分離するものでなくてもよく、ユニットとして表示される部材は物理的なユニットでもよくまたは物理的なユニットでなくてもよく、すなわち、同じ個所に位置してもよく、または複数のネットワークユニットに分布してもよい。実際の必要に応じて、ユニットの一部または全部を選択することで、本発明の実施例方案の目的を達成することができる。
【０１８３】
また、本発明の各実施例における各機能ユニットは、１つの処理ユニットに統合されていてもよく、物理的に別々に存在してもよく、２つまたは２つ以上が一体としてもよい。上記統合ユニットは、ハードウェアの形式で、またはソフトウェア機能ユニットの形式で実現することができる。
【０１８４】
前記統合ユニットは、ソフトウェア機能ユニットの形式で実現されて独立する製品として販売または採用される場合、コンピュータ可読記憶媒体に格納されてもよい。この理解に基づいて、本願の技術案の本質的な部分または従来技術に有用な部分、または該技術案の全部または一部は、ソフトウェア製品の形式で実施することができ、該コンピュータソフトウェア製品は、記憶媒体に記憶されて、コンピュータ機器（パーソナルコンピュータ、サーバ、またはネットワーク機器など）に、本発明の各実施例に記載された方法のステップの全部または一部を実行させるための多数の命令を含んでいる。前記記憶媒体には、プログラムコードを記憶可能なＵディスク、モバイルハードディスク、読み取り専用メモリ（ＲＯＭ）、ランダムアクセスメモリ（ＲＡＭ）、磁気ディスク、光ディスクなどの多様な媒体が含まれる。
【０１８５】
上記は本願の具体的な実施形態に過ぎず、本願の保護範囲はそれに制限されず、当業者であれば、本願において開示されている技術範囲を逸脱することなく、各種の同等修正や置換を容易に想到することができ、これら修正または置換はすべて本願の保護範囲に含まれる。従って、本願の保護範囲は特許請求の範囲に準じるべきである。
【手続補正２】
【補正対象書類名】特許請求の範囲
【補正対象項目名】全文
【補正方法】変更
【補正の内容】
【特許請求の範囲】
【請求項１】
通信方法であって、
端末機器が、前記端末機器の現在所在する位置領域を指示するための第１の指示情報をネットワーク機器に送信するステップと、
前記端末機器が、前記ネットワーク機器から送信した、前記ネットワーク機器が前記端末機器の現在所在する位置領域に基づいて少なくとも２つの選択可能なアップリンク波形の中から決定した第１のターゲット波形を指示するための第２の指示情報を受信するステップと、
前記端末機器が、前記第１のターゲット波形を用いてアップリンク伝送を行うステップとを含む、ことを特徴とする通信方法。
【請求項２】
前記端末機器の現在所在する位置領域は、セル中心領域、セルエッジ領域、またはセル中心領域とセルエッジ領域の間に位置する領域を含む、ことを特徴とする請求項１に記載の方法。
【請求項３】
前記端末機器が前記ネットワーク機器に第１の指示情報を送信するステップは、
前記端末機器が、前記第１の指示情報を持つランダムアクセス要請をネットワーク機器に送信するステップを含む、ことを特徴とする請求項１または２に記載の方法。
【請求項４】
前記ランダムアクセス要請はプリアンブルをさらに持ち、前記第１の指示情報が占めるビットは前記プリアンブルの直後にある、ことを特徴とする請求項３に記載の方法。
【請求項５】
前記端末機器がネットワーク機器に第１の指示情報を送信する前、前記方法はさらに、  前記端末機器が、前記位置領域と前記プリアンブルの間の対応関係に基づいて、少なくとも２つのプリアンブルの中から、前記端末機器の現在所在する位置領域に対応するプリアンブルを確定するステップを含み、
前記ランダムアクセス要請が前記第１の指示情報を持つことは、前記ランダムアクセス要請が前記端末機器の現在所在する位置領域に対応するプリアンブルを含む場合を含む、ことを特徴とする請求項３に記載の方法。
【請求項６】
前記端末機器が前記ネットワーク機器に第１の指示情報を送信するステップは、
前記端末機器が、前記第１の指示情報を持つスケジューリング要請をネットワーク機器に送信するステップを含む、ことを特徴とする請求項１または２に記載の方法。
【請求項７】
前記端末機器がネットワーク機器に第１の指示情報を送信する前、前記方法はさらに、
前記端末機器が、前記ネットワーク機器から送信したダウンリンク基準信号を測定するステップと、
前記端末機器が、前記ネットワーク機器から送信した、少なくとも２つの閾値条件を指示するための第３の指示情報を持つブロードキャストメッセージを受信するステップと、
前記端末機器が、前記測定結果を前記少なくとも２つの閾値条件と比較することによって、前記端末機器の現在所在する位置領域を確定するステップを含む、ことを特徴とする請求項１乃至６のいずれか一項に記載の方法。
【請求項８】
端末機器であって、
前記端末機器の現在所在する位置領域を指示するための第１の指示情報をネットワーク機器に送信する送信ユニットと、
前記ネットワーク機器から送信した、前記ネットワーク機器が前記送信ユニットから送信した第１の指示情報に基づいて少なくとも２つの選択可能なアップリンク波形の中から決定した第１のターゲット波形を指示するための第２の指示情報を受信する受信ユニットとを備え、
該送信ユニットはさらに、前記受信ユニットが受信した前記第２の指示情報により指示される前記第１のターゲット波形を用いてアップリンク伝送を行う、ことを特徴とする端末機器。
【請求項９】
前記端末機器の現在所在する位置領域は、セル中心領域、セルエッジ領域、またはセル中心領域とセルエッジ領域の間に位置する領域を含む、ことを特徴とする請求項８に記載の端末機器。
【請求項１０】
前記送信ユニットは、具体的には、ネットワーク機器に前記第１の指示情報を持つランダムアクセス要請を送信する、ことを特徴とする請求項８または９に記載の端末機器。
【請求項１１】
前記ランダムアクセス要請はプリアンブルをさらに持ち、前記第１の指示情報が占めるビットは前記プリアンブルの直後にある、ことを特徴とする請求項１０に記載の端末機器。
【請求項１２】
前記送信ユニットがネットワーク機器に第１の指示情報を送信する前、前記位置領域と前記プリアンブルの間の対応関係に基づいて、少なくとも２つのプリアンブルの中から、前記端末機器の現在所在する位置領域に対応するプリアンブルを確定する第１の確定ユニットをさらに備え、
前記ランダムアクセス要請が前記第１の指示情報を持つことは、前記ランダムアクセス要請が前記確定ユニットにより確定された前記プリアンブルを含む場合を含む、ことを特徴とする請求項１０に記載の端末機器。
【請求項１３】
前記送信ユニットは、具体的には、前記第１の指示情報を持つスケジューリング要請を前記ネットワーク機器に送信する、ことを特徴とする請求項８または９に記載の端末機器。
【請求項１４】
前記送信ユニットがネットワーク機器に第１の指示情報を送信する前、前記ネットワーク機器から送信したダウンリンク基準信号を測定する測定ユニットをさらに備え、
前記受信ユニットが、前記ネットワーク機器から送信した、少なくとも２つの閾値条件を指示するための第３の指示情報を持つブロードキャストメッセージを受信し、
前記第２の確定ユニットは、具体的には、前記測定ユニットにより得られた前記測定結果を前記少なくとも２つの閾値条件と比較することにより、前記端末機器の現在所在する位置領域を確定する、ことを特徴とする請求項８乃至１３のいずれか一項に記載の端末機器。
【請求項１５】
プロセッサとコマンドを記憶するメモリを含み、前記プロセッサは前記コマンドを実行する時請求項１乃至７のいずれか一項に記載の通信方法を実行する、ことを特徴とする端末機器。
【国際調査報告】
2020502877.tif 000009
2020502877.tif 000010
2020502877.tif 000011
2020502877.tif 000012